(57)【要約】  本発明は、無線ローカルエリアネットワークのアクセス方法、端末デバイス及びネットワークデバイスを提供し、該方法は、端末デバイスがネットワークデバイスにシステムメッセージ要求を送信することと、該端末デバイスが該ネットワークデバイスにより送信された該システムメッセージを受信することとを含み、該システムメッセージ要求は、該ネットワークデバイスが該端末デバイスにシステムメッセージを送信するように要求し、該システムメッセージは、該端末デバイスが該無線ローカルエリアネットワークにアクセスするための信息である。本発明の実施例に係る無線ローカルエリアネットワークのアクセス方法は、５Ｇ通信システムにおいて、システム情報を追加することにより、ＷＬＡＮ又はアンライセンス周波数帯にトラフィックの一部又は全部を移行することができ、ライセンス周波数帯リソースの節約を実現する。
2021510946.tif 000002
【特許請求の範囲】
【請求項１】
端末デバイスがネットワークデバイスにシステムメッセージ要求を送信することと、
前記端末デバイスが前記ネットワークデバイスにより送信されたシステムメッセージを受信することとを含み、
前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための信息である
ことを特徴とする無線ローカルエリアネットワークのアクセス方法。
【請求項２】
前記端末デバイスがネットワークデバイスにシステムメッセージ要求を送信することは、
前記端末デバイスが特定のプリアンブルにおいて、前記ネットワークデバイスにランダムアクセスメッセージを送信し、前記特定のプリアンブルで前記ネットワークデバイスが前記端末デバイスに前記システムメッセージを送信するように要求することを含む
ことを特徴とする請求項１に記載の無線ローカルエリアネットワークのアクセス方法。
【請求項３】
前記端末デバイスがネットワークデバイスにシステムメッセージ要求を送信することは、
前記端末デバイスが前記ネットワークデバイスに無線リソース制御ＲＲＣシグナリングを送信することを含み、前記ＲＲＣシグナリングが前記システムメッセージ要求を含む
ことを特徴とする請求項１に記載の無線ローカルエリアネットワークのアクセス方法。
【請求項４】
前記端末デバイスが前記ネットワークデバイスにより送信された前記システムメッセージを受信することは、
前記端末デバイスが前記ネットワークデバイスにより送信された他のシステム情報Ｏｔｈｅｒ  ＳＩを受信することを含み、前記Ｏｔｈｅｒ  ＳＩが前記システムメッセージを含む
ことを特徴とする請求項１〜３のいずれか１項に記載の無線ローカルエリアネットワークのアクセス方法。
【請求項５】
前記端末デバイスがネットワークデバイスにシステムメッセージ要求を送信する前に、前記方法は、さらに、
前記端末デバイスが前記ネットワークデバイスにより送信された指示情報を受信することを含み、前記指示情報は、前記ネットワークデバイスが前記ネットワークデバイスの無線ベアラ上のデータストリームをアンライセンス周波数帯へオフロードすることをサポートするかどうかを指示し、
前記端末デバイスがネットワークデバイスにシステムメッセージ要求を送信することは、
前記端末デバイスが、前記ネットワークデバイスが前記データストリームをアンライセンス周波数帯へオフロードすることをサポートすると決定する場合、前記ネットワークデバイスに前記システムメッセージ要求を送信することを含む
ことを特徴とする請求項１〜４のいずれか１項に記載の無線ローカルエリアネットワークのアクセス方法。
【請求項６】
前記指示情報が、さらに、前記ネットワークデバイスがサポートするオフロード方式を含み、
前記方法は、さらに、
前記端末デバイスが前記オフロード方式に基づいて、前記端末デバイスの前記データストリームをアンライセンス周波数帯へオフロードすることを含む
ことを特徴とする請求項５に記載の無線ローカルエリアネットワークのアクセス方法。
【請求項７】
前記オフロード方式が第１のオフロード方式及び／又は第２のオフロード方式を含み、前記第１のオフロードがアクセスネットワークデバイスにより制御されるオフロード方式であり、前記第２のオフロード方式がコアネットワークデバイスにより制御されるオフロード方式である
ことを特徴とする請求項６に記載の無線ローカルエリアネットワークのアクセス方法。
【請求項８】
前記指示情報が他のシステム情報Ｏｔｈｅｒ  ＳＩに含まれ、又は、前記指示情報が最小システム情報ＭＩＳに含まれる
ことを特徴とする請求項５〜７のいずれか１項に記載の無線ローカルエリアネットワークのアクセス方法。
【請求項９】
前記システムメッセージは、
前記端末デバイスの位置するセルのアクセスポイントＡＰ情報、及び前記端末デバイスが前記ＡＰにアクセスするかどうかを決定するパラメータ及び前記ＡＰのバックホールリンク容量情報を含み、
前記方法は、さらに、
前記端末デバイスが前記システムメッセージに基づいて目標ＡＰを決定することと、
前記端末デバイスが前記目標ＡＰを介して、前記無線ローカルエリアネットワークにアクセスすることとを含む
ことを特徴とする請求項１〜８のいずれか１項に記載の無線ローカルエリアネットワークのアクセス方法。
【請求項１０】
前記ＡＰ情報が前記端末デバイスが利用可能な少なくとも１つのＡＰの識別情報を含み、前記識別情報がＡＰのサービスセット識別子ＳＳＩＤを含む
ことを特徴とする請求項９に記載の無線ローカルエリアネットワークのアクセス方法。
【請求項１１】
前記パラメータが、受信する信号強度インジケータＲＳＳＩを含む
ことを特徴とする請求項９に記載の無線ローカルエリアネットワークのアクセス方法。
【請求項１２】
ネットワークデバイスが端末デバイスにより送信されたシステムメッセージ要求を受信することと、
前記ネットワークデバイスが前記端末デバイスにシステムメッセージを送信することとを含み、
前記システムメッセージ要求は、前記ネットワークデバイスが前記端末デバイスに前記システムメッセージを送信するように要求し、前記システムメッセージは、前記端末デバイスが前記無線ローカルエリアネットワークにアクセスするための情報である
ことを特徴とする無線ローカルエリアネットワークのアクセス方法。
【請求項１３】
前記ネットワークデバイスが端末デバイスにより送信されたシステムメッセージ要求を受信することは、
前記ネットワークデバイスが特定のプリアンブルにおいて、前記端末デバイスにより送信されたランダムアクセスメッセージを受信し、前記特定のプリアンブルで前記ネットワークデバイスが前記端末デバイスに前記システムメッセージを送信するように要求することを含む
ことを特徴とする請求項１２に記載の無線ローカルエリアネットワークのアクセス方法。
【請求項１４】
前記ネットワークデバイスが端末デバイスにより送信されたシステムメッセージ要求を受信することは、
前記ネットワークデバイスが前記端末デバイスにより送信された無線リソース制御ＲＲＣシグナリングを受信することを含み、前記ＲＲＣシグナリングが前記システムメッセージ要求を含む
ことを特徴とする請求項１２に記載の無線ローカルエリアネットワークのアクセス方法。
【請求項１５】
前記ネットワークデバイスが前記端末デバイスに前記システムメッセージを送信することは、
前記ネットワークデバイスが前記端末デバイスに他のシステム情報Ｏｔｈｅｒ  ＳＩを送信することを含み、前記Ｏｔｈｅｒ  ＳＩが前記システムメッセージを含む
ことを特徴とする請求項１２〜１４のいずれか１項に記載の無線ローカルエリアネットワークのアクセス方法。
【請求項１６】
前記ネットワークデバイスが端末デバイスにより送信されたシステムメッセージ要求を受信する前に、前記方法は、さらに、
前記ネットワークデバイスが指示情報を生成することと、
前記ネットワークデバイスが端末デバイスに前記指示情報を送信することとを含み、
前記指示情報は、前記ネットワークデバイスが前記ネットワークデバイスの無線ベアラ上のデータストリームをアンライセンス周波数帯へオフロードすることをサポートするかどうかを指示する
ことを特徴とする請求項１２〜１５のいずれか１項に記載の無線ローカルエリアネットワークのアクセス方法。
【請求項１７】
前記端末デバイスがオフロード方式に基づいて、前記端末デバイスの前記データストリームをアンライセンス周波数帯へオフロードするように、前記指示情報が、さらに、前記ネットワークデバイスがサポートする前記オフロード方式を含む
ことを特徴とする請求項１６に記載の無線ローカルエリアネットワークのアクセス方法。
【請求項１８】
前記オフロード方式が第１のオフロード方式及び／又は第２のオフロード方式を含み、前記第１のオフロードがアクセスネットワークデバイスにより制御されるオフロード方式であり、前記第２のオフロード方式がコアネットワークデバイスにより制御されるオフロード方式である
ことを特徴とする請求項１７に記載の無線ローカルエリアネットワークのアクセス方法。
【請求項１９】
前記指示情報が他のシステム情報Ｏｔｈｅｒ  ＳＩに含まれ、又は、前記指示情報が最小システム情報ＭＩＳに含まれる
ことを特徴とする請求項１６〜１８のいずれか１項に記載の無線ローカルエリアネットワークのアクセス方法。
【請求項２０】
前記システムメッセージは、
前記端末デバイスの位置するセルのアクセスポイントＡＰ情報、及び前記端末デバイスが前記ＡＰにアクセスするかどうかを決定するパラメータ及び前記ＡＰのバックホールリンク容量情報を含む
ことを特徴とする請求項１２〜１９のいずれか１項に記載の無線ローカルエリアネットワークのアクセス方法。
【請求項２１】
前記ＡＰ情報が前記端末デバイスが利用可能な少なくとも１つのＡＰの識別情報を含み、前記識別情報がＡＰのサービスセット識別子ＳＳＩＤを含む
ことを特徴とする請求項２０に記載の無線ローカルエリアネットワークのアクセス方法。
【請求項２２】
前記パラメータが、受信する信号強度インジケータＲＳＳＩを含む
ことを特徴とする請求項２０に記載の無線ローカルエリアネットワークのアクセス方法。
【請求項２３】
送信ユニットと、受信ユニットとを備える端末デバイスであって、
前記送信ユニットは、ネットワークデバイスにシステムメッセージ要求を送信するように構成され、前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための信息であり、
前記受信ユニットは、前記ネットワークデバイスにより送信された前記システムメッセージを受信するように構成される
ことを特徴とする端末デバイス。
【請求項２４】
前記送信ユニットは、
特定のプリアンブルにおいて、前記ネットワークデバイスにランダムアクセスメッセージを送信し、前記特定のプリアンブルで前記ネットワークデバイスが前記端末デバイスに前記システムメッセージを送信するように要求するように構成される
ことを特徴とする請求項２３に記載の端末デバイス。
【請求項２５】
前記送信ユニットは、
前記ネットワークデバイスに無線リソース制御ＲＲＣシグナリングを送信するように構成され、前記ＲＲＣシグナリングが前記システムメッセージ要求を含む
ことを特徴とする請求項２３に記載の端末デバイス。
【請求項２６】
前記受信ユニットは、
前記ネットワークデバイスにより送信された他のシステム情報Ｏｔｈｅｒ  ＳＩを受信するように構成され、前記Ｏｔｈｅｒ  ＳＩが前記システムメッセージを含む
ことを特徴とする請求項２３〜２５のいずれか１項に記載の端末デバイス。
【請求項２７】
前記受信ユニットは、さらに、
前記送信ユニットがネットワークデバイスにシステムメッセージ要求を送信する前に、前記ネットワークデバイスにより送信された指示情報を受信するように構成され、前記指示情報は、前記ネットワークデバイスが前記ネットワークデバイスの無線ベアラ上のデータストリームをアンライセンス周波数帯へオフロードすることをサポートするかどうかを指示し、
前記送信ユニットは、
前記ネットワークデバイスが前記データストリームをアンライセンス周波数帯へオフロードすることをサポートすると決定する場合、前記ネットワークデバイスに前記システムメッセージ要求を送信するように構成される
ことを特徴とする請求項２３〜２６のいずれか１項に記載の端末デバイス。
【請求項２８】
前記指示情報が、さらに、前記ネットワークデバイスがサポートするオフロード方式を含み、
前記端末デバイスは、さらに、処理ユニットを含み、
前記処理ユニットは、前記オフロード方式に基づいて、前記端末デバイスの前記データストリームをアンライセンス周波数帯へオフロードするように構成される
ことを特徴とする請求項２７に記載の端末デバイス。
【請求項２９】
前記オフロード方式が第１のオフロード方式及び／又は第２のオフロード方式を含み、前記第１のオフロードがアクセスネットワークデバイスにより制御されるオフロード方式であり、前記第２のオフロード方式がコアネットワークデバイスにより制御されるオフロード方式である
ことを特徴とする請求項２８に記載の端末デバイス。
【請求項３０】
前記指示情報が他のシステム情報Ｏｔｈｅｒ  ＳＩに含まれ、又は、前記指示情報が最小システム情報ＭＩＳに含まれる
ことを特徴とする請求項２７〜２９のいずれか１項に記載の端末デバイス。
【請求項３１】
前記システムメッセージは、
前記端末デバイスの位置するセルのアクセスポイントＡＰ情報、及び前記端末デバイスが前記ＡＰにアクセスするかどうかを決定するパラメータ及び前記ＡＰのバックホールリンク容量情報を含み、
前記端末デバイスは、さらに、処理ユニットを含み、
前記処理ユニットは、
前記システムメッセージに基づいて目標ＡＰを決定し、
前記目標ＡＰを介して、前記無線ローカルエリアネットワークにアクセスするように構成される
ことを特徴とする請求項２３〜３０のいずれか１項に記載の端末デバイス。
【請求項３２】
前記ＡＰ情報が前記端末デバイスが利用可能な少なくとも１つのＡＰの識別情報を含み、前記識別情報がＡＰのサービスセット識別子ＳＳＩＤを含む
ことを特徴とする請求項３１に記載の端末デバイス。
【請求項３３】
前記パラメータが、受信する信号強度インジケータＲＳＳＩを含む
ことを特徴とする請求項３１に記載の端末デバイス。
【請求項３４】
受信ユニットと、送信ユニットとを備えるネットワークデバイスであって、
前記受信ユニットは、端末デバイスにより送信されたシステムメッセージ要求を受信するように構成され、前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための情報であり、
前記送信ユニットは、前記端末デバイスに前記システムメッセージを送信するように構成される
ことを特徴とするネットワークデバイス。
【請求項３５】
前記受信ユニットは、
特定のプリアンブルにおいて、前記端末デバイスにより送信されたランダムアクセスメッセージを受信し、前記特定のプリアンブルで前記ネットワークデバイスが前記端末デバイスに前記システムメッセージを送信するように要求するように構成される
ことを特徴とする請求項３４に記載のネットワークデバイス。
【請求項３６】
前記受信ユニットは、
前記端末デバイスにより送信された無線リソース制御ＲＲＣシグナリングを受信するように構成され、前記ＲＲＣシグナリングが前記システムメッセージ要求を含む
ことを特徴とする請求項３４に記載のネットワークデバイス。
【請求項３７】
前記送信ユニットは、
前記端末デバイスに他のシステム情報Ｏｔｈｅｒ  ＳＩを送信するように構成され、前記Ｏｔｈｅｒ  ＳＩが前記システムメッセージを含む
ことを特徴とする請求項３４〜３６のいずれか１項に記載のネットワークデバイス。
【請求項３８】
前記ネットワークデバイスは、さらに、処理ユニットを含み、
前記処理ユニットは、前記受信ユニットが前記端末デバイスにより送信されたシステムメッセージ要求を受信する前に、指示情報を生成するように構成され、前記指示情報は、前記ネットワークデバイスが前記ネットワークデバイスの無線ベアラ上のデータストリームをアンライセンス周波数帯へオフロードすることをサポートするかどうかを指示し、
前記送信ユニットは、さらに、端末デバイスに前記指示情報を送信するように構成される
ことを特徴とする請求項３４〜３７のいずれか１項に記載のネットワークデバイス。
【請求項３９】
前記端末デバイスがオフロード方式に基づいて、前記端末デバイスの前記データストリームをアンライセンス周波数帯へオフロードするように、前記指示情報が、さらに、前記ネットワークデバイスがサポートする前記オフロード方式を含む
ことを特徴とする請求項３８に記載のネットワークデバイス。
【請求項４０】
前記オフロード方式が第１のオフロード方式及び／又は第２のオフロード方式を含み、前記第１のオフロードがアクセスネットワークデバイスにより制御されるオフロード方式であり、前記第２のオフロード方式がコアネットワークデバイスにより制御されるオフロード方式である
ことを特徴とする請求項３９に記載のネットワークデバイス。
【請求項４１】
前記指示情報が他のシステム情報Ｏｔｈｅｒ  ＳＩに含まれ、又は、前記指示情報が最小システム情報ＭＩＳに含まれる
ことを特徴とする請求項３８〜４０のいずれか１項に記載のネットワークデバイス。
【請求項４２】
前記システムメッセージは、
前記端末デバイスの位置するセルのアクセスポイントＡＰ情報、及び前記端末デバイスが前記ＡＰにアクセスするかどうかを決定するパラメータ及び前記ＡＰのバックホールリンク容量情報を含む
ことを特徴とする請求項３４〜４１のいずれか１項に記載のネットワークデバイス。
【請求項４３】
前記ＡＰ情報が前記端末デバイスが利用可能な少なくとも１つのＡＰの識別情報を含み、前記識別情報がＡＰのサービスセット識別子ＳＳＩＤを含む
ことを特徴とする請求項４２に記載のネットワークデバイス。
【請求項４４】
前記パラメータが、受信する信号強度インジケータＲＳＳＩを含む
ことを特徴とする請求項４２に記載のネットワークデバイス。
【発明の詳細な説明】
【技術分野】
【０００１】
本発明の実施例は、通信分野に関し、具体的に、無線ローカルエリアネットワークのアクセス方法、端末デバイス及びネットワークデバイスに関する。
【背景技術】
【０００２】
第３世代パートナーシッププロジェクト( Ｔｈｅ ３ｒｄ Ｇｅｎｅｒａｔｉｏｎ Ｐａｒｔｎｅｒｓｈｉｐ Ｐｒｏｊｅｃｔ、３ ＧＰＰ )は、ロングタームエボリューション( Ｌｏｎｇ Ｔｅｒｍ Ｅｖｏｌｕｔｉｏｎ、ＬＴＥ )システムから、無線ローカルエリアネットワーク( Ｗｉｒｅｌｅｓｓ ＬＡＮ、ＷＬＡＮ )の疎結合相互作用および密結合方式およびアンライセンスアクセス技術が導入される。第５世代移動通信技術( ５−Ｇｅｎｅｒａｔｉｏｎ、５Ｇ )の新しいラジオ( Ｎｅｗ Ｒａｄｉｏ、ＮＲ )は、ＷＬＡＮを含むそのようなアンライセンスアクセス技術へのアクセスもサポートする必要があるので、サービス品質( Ｑｕａｌｉｔｙ ｏｆ ｓｅｒｖｉｃｅ、ＱｏＳ )要件を考慮して、トラフィックの一部または全部をＷＬＡＮまたはアンライセンス周波数帯に移行することができ、セルラーネットワークのライセンス周波数帯リソースの節約を実現する。
【０００３】
しかしながら、ＬＴＥは、５Ｇ ＮＲと互換性がないため、ＬＴＥシステムにおける疎結合相互接続、密結合方式及びアンライセンスアクセス技術を、５Ｇ ＮＲに単純に適用することはできない。
【０００４】
現在、５Ｇ ＮＲのアンライセンスアクセス及びＷＬＡＮのＲＡＮ側のアクセスについては、具体的な提案はない。
【発明の概要】
【０００５】
本願は、５Ｇ ＮＲのシステム情報を増強して端末デバイスのＷＬＡＮを構成することで、端末デバイスが目標アクセスポイント( Ａｃｃｅｓｓ Ｐｏｉｎｔ、ＡＰ )を発見し、この目標アクセスポイントを介してＷＬＡＮにアクセスすることができる無線ローカルエリアネットワークのアクセス方法、端末デバイス及びネットワークデバイスを提供する。
【０００６】
第１の態様は、無線ローカルエリアネットワークのアクセス方法を提供し、
端末デバイスがネットワークデバイスにシステムメッセージ要求を送信することと、
前記端末デバイスが前記ネットワークデバイスにより送信された前記システムメッセージを受信することとを含み、
前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための信息である。
【０００７】
本発明の実施例に係る無線ローカルエリアネットワークのアクセス方法は、５Ｇ通信システムにおいて、システム情報を追加することにより、ＷＬＡＮ又はアンライセンス周波数帯にトラフィックの一部又は全部を移行することができ、ライセンス周波数帯リソースの節約を実現する。
【０００８】
実現可能な方式において、前記端末デバイスがネットワークデバイスにシステムメッセージ要求を送信することは、
前記端末デバイスが特定のプリアンブルにおいて、前記ネットワークデバイスにランダムアクセスメッセージを送信し、前記特定のプリアンブルで前記ネットワークデバイスが前記端末デバイスに前記システムメッセージを送信するように要求することを含む。
【０００９】
実現可能な方式において、前記端末デバイスがネットワークデバイスにシステムメッセージ要求を送信することは、
前記端末デバイスが前記ネットワークデバイスに無線リソース制御ＲＲＣシグナリングを送信することを含み、前記ＲＲＣシグナリングが前記システムメッセージ要求を含む。
【００１０】
実現可能な方式において、前記端末デバイスが前記ネットワークデバイスにより送信された前記システムメッセージを受信することは、
前記端末デバイスが前記ネットワークデバイスにより送信された他のシステム情報Ｏｔｈｅｒ ＳＩを受信することを含み、前記Ｏｔｈｅｒ ＳＩが前記システムメッセージを含む。
【００１１】
実現可能な方式において、前記端末デバイスがネットワークデバイスにシステムメッセージ要求を送信する前に、前記方法は、さらに、
前記端末デバイスが前記ネットワークデバイスにより送信された指示情報を受信することを含み、前記指示情報は、前記ネットワークデバイスが前記ネットワークデバイスの無線ベアラ上のデータストリームをアンライセンス周波数帯へオフロードすることをサポートするかどうかを指示し、ここで、前記端末デバイスがネットワークデバイスにシステムメッセージ要求を送信することは、
前記端末デバイスが、前記ネットワークデバイスが前記データストリームをアンライセンス周波数帯へオフロードすることをサポートすると決定する場合、前記ネットワークデバイスに前記システムメッセージ要求を送信することを含む。
【００１２】
実現可能な方式において、前記指示情報が、さらに、前記ネットワークデバイスがサポートするオフロード方式を含み、前記方法は、さらに、
前記端末デバイスが前記オフロード方式に基づいて、前記端末デバイスの前記データストリームをアンライセンス周波数帯へオフロードすることを含む。
【００１３】
実現可能な方式において、前記オフロード方式が第１のオフロード方式及び／又は第２のオフロード方式を含み、前記第１のオフロードがアクセスネットワークデバイスにより制御されるオフロード方式であり、前記第２のオフロード方式がコアネットワークデバイスにより制御されるオフロード方式である。
【００１４】
実現可能な方式において、前記指示情報が他のシステム情報Ｏｔｈｅｒ ＳＩに含まれ、又は、前記指示情報が最小システム情報ＭＩＳに含まれる。
【００１５】
実現可能な方式において、前記システムメッセージは、
前記端末デバイスの位置するセルのアクセスポイントＡＰ情報、及び前記端末デバイスが前記ＡＰにアクセスするかどうかを決定するパラメータ及び前記ＡＰのバックホールリンク容量情報を含み、前記方法は、さらに、
前記端末デバイスが前記システムメッセージに基づいて目標ＡＰを決定することと、前記端末デバイスが前記目標ＡＰを介して、前記無線ローカルエリアネットワークにアクセスすることとを含む。
【００１６】
実現可能な方式において、前記ＡＰ情報が前記端末デバイスが利用可能な少なくとも１つのＡＰの識別情報を含み、前記識別情報がＡＰのサービスセット識別子ＳＳＩＤを含む。
【００１７】
実現可能な方式において、前記パラメータが、受信する信号強度インジケータＲＳＳＩを含む。
【００１８】
第２の態様は、無線ローカルエリアネットワークのアクセス方法を提供し、
ネットワークデバイスが端末デバイスにより送信されたシステムメッセージ要求を受信することと、
前記ネットワークデバイスが前記端末デバイスに前記システムメッセージを送信することとを含み、
前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための情報である。
【００１９】
実現可能な方式において、前記ネットワークデバイスが端末デバイスにより送信されたシステムメッセージ要求を受信することは、
前記ネットワークデバイスが特定のプリアンブルにおいて、前記端末デバイスにより送信されたランダムアクセスメッセージを受信し、前記特定のプリアンブルで前記ネットワークデバイスが前記端末デバイスに前記システムメッセージを送信するように要求することを含む。
【００２０】
実現可能な方式において、前記ネットワークデバイスが端末デバイスにより送信されたシステムメッセージ要求を受信することは、
前記ネットワークデバイスが前記端末デバイスにより送信された無線リソース制御ＲＲＣシグナリングを受信することを含み、前記ＲＲＣシグナリングが前記システムメッセージ要求を含む。
【００２１】
実現可能な方式において、前記ネットワークデバイスが前記端末デバイスに前記システムメッセージを送信することは、
前記ネットワークデバイスが前記端末デバイスに他のシステム情報Ｏｔｈｅｒ ＳＩを送信することを含み、前記Ｏｔｈｅｒ ＳＩが前記システムメッセージを含む。
【００２２】
実現可能な方式において、前記ネットワークデバイスが端末デバイスにより送信されたシステムメッセージ要求を受信する前に、前記方法は、さらに、
前記ネットワークデバイスが指示情報を生成することと、前記ネットワークデバイスが端末デバイスに前記指示情報を送信することとを含み、前記指示情報は、前記ネットワークデバイスが前記ネットワークデバイスの無線ベアラ上のデータストリームをアンライセンス周波数帯へオフロードすることをサポートするかどうかを指示する。
【００２３】
実現可能な方式において、前記端末デバイスが前記オフロード方式に基づいて、前記端末デバイスの前記データストリームをアンライセンス周波数帯へオフロードするように、前記指示情報が、さらに、前記ネットワークデバイスがサポートするオフロード方式を含む。
【００２４】
実現可能な方式において、前記オフロード方式が第１のオフロード方式及び／又は第２のオフロード方式を含み、前記第１のオフロードがアクセスネットワークデバイスにより制御されるオフロード方式であり、前記第２のオフロード方式がコアネットワークデバイスにより制御されるオフロード方式である。
【００２５】
実現可能な方式において、前記指示情報が他のシステム情報Ｏｔｈｅｒ ＳＩに含まれ、又は、前記指示情報が最小システム情報ＭＩＳに含まれる。
【００２６】
実現可能な方式において、前記システムメッセージは、
前記端末デバイスの位置するセルのアクセスポイントＡＰ情報、及び前記端末デバイスが前記ＡＰにアクセスするかどうかを決定するパラメータ及び前記ＡＰのバックホールリンク容量情報を含む。
【００２７】
実現可能な方式において、前記ＡＰ情報が前記端末デバイスが利用可能な少なくとも１つのＡＰの識別情報を含み、前記識別情報がＡＰのサービスセット識別子ＳＳＩＤを含む。
【００２８】
実現可能な方式において、前記パラメータが、受信する信号強度インジケータＲＳＳＩを含む。
【００２９】
第３の態様は、端末デバイスを提供し、送信ユニット及び受信ユニットを備え、
送信ユニットは、ネットワークデバイスにシステムメッセージ要求を送信するように構成され、前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための信息であり、
受信ユニットは、前記ネットワークデバイスにより送信された前記システムメッセージを受信するように構成される。
【００３０】
第４の態様は、端末デバイスを提供し、送受信機を備え、前記送受信機は、
ネットワークデバイスにシステムメッセージ要求を送信し、前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための信息であり、
前記ネットワークデバイスにより送信された前記システムメッセージを受信するように構成される。
【００３１】
第５の態様は、ネットワークデバイスを提供し、受信ユニット及び送信ユニットを備え、
受信ユニットは、端末デバイスにより送信されたシステムメッセージ要求を受信するように構成され、前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための情報であり、
送信ユニットは、前記端末デバイスに前記システムメッセージを送信するように構成される。
【００３２】
第６の態様は、ネットワークデバイスを提供し、送受信機を備え、前記送受信機は、
端末デバイスにより送信されたシステムメッセージ要求を受信し、前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための情報であり、
前記端末デバイスに前記システムメッセージを送信するように構成される。
【００３３】
第７の態様は、上述の第１の態様または第２の態様の方法の実施例を実行するための命令を含むコンピュータプログラムを記憶するためのコンピュータ可読媒体を提供する。
【００３４】
第８の態様は、入力インターフェース、出力インターフェース、少なくとも１つのプロセッサ、及びメモリを備えるコンピュータチップを提供し、プロセッサは、メモリ内のコードを実行し、コードが実行されると、第１の態様又は第２の態様の無線ローカルエリアネットワークのアクセス方法においてネットワークデバイスによって実行される様々なプロセスを実現する。
【００３５】
第９の態様は、入力インタフェースと、出力インタフェースと、少なくとも１つのプロセッサと、及びメモリを備えるコンピュータチップを提供し、前記プロセッサは、前記メモリ内のコードを実行し、前記コードが実行されると、上記第１の態様または上記第２の態様の無線ローカルエリアネットワークのアクセス方法において端末デバイスによって実行される様々なプロセスを実現する。
【００３６】
第１０態様は、上記ネットワークデバイスと端末デバイスとを備えた通信システムを提供する。
【図面の簡単な説明】
【００３７】
【図１】本発明の応用シーンの例である。
【図２】本発明の実施例における無線ローカルエリアネットワークのアクセス方法のフローチャートである。
【図３】本発明の実施例におけるネットワークデバイスのブロック図である。
【図４】本発明の実施例における他のネットワークデバイスのブロック図である。
【図５】本発明の実施例における端末デバイスのブロック図である。
【図６】本発明の実施例における他の端末デバイスのブロック図である。
【発明を実施するための形態】
【００３８】
図１は、本発明の実施例の５Ｇ適用シーンの概略図である。
【００３９】
図１に示すように、通信システム１００は、端末デバイス１１０と、ネットワークデバイス１２０とを含みうる。ネットワークデバイス１２０は、エアインターフェースを通じて端末デバイス１１０と通信し得る。端末デバイス１１０とネットワークデバイス１２０との間でマルチサービス伝送がサポートされる。
【００４０】
本発明の実施例は、５Ｇ通信システム１００を例としてのみ説明されるが、本発明の実施例は、これに限定されないことを理解されたい。すなわち、本発明の実施例に係る技術は、５Ｇ通信システムを始めとする様々な場面に適用することができる。例えば、５Ｇ通信システムと第１通信システムとからなるハイブリッド展開シナリオ等が挙げられる。ここで、当該第１の通信システムは、どのような通信システムであってもよい。例えば、Ｇｌｏｂａｌ Ｓｙｓｔｅｍ ｏｆ Ｍｏｂｉｌｅ Ｃｏｍｍｕｎｉｃａｔｉｏｎ （ ＧＳＭ )システム、Ｃｏｄｅ Ｄｉｖｉｓｉｏｎ Ｍｕｌｔｉｐｌｅ Ａｃｃｅｓｓ （ ＣＤＭＡ )システム、Ｗｉｄｅｂａｎｄ Ｃｏｄｅ Ｄｉｖｉｓｉｏｎ Ｍｕｌｔｉｐｌｅ Ａｃｃｅｓｓ （ ＷＣＤＭＡ )システム、Ｇｅｎｅｒａｌ  Ｐａｃｋｅｔ  Ｒａｄｉｏ  Ｓｅｒｖｉｃｅ  （  ＧＰＲＳ )、Ｌｏｎｇ Ｔｅｒｍ Ｅｖｏｌｕｔｉｏｎ （ ＬＴＥ )システム、Ｔｉｍｅ  Ｄｉｖｉｓｉｏｎ  Ｄｕｐｌｅｘ （ ＴＤＤ ）、Ｕｎｉｖｅｒｓａｌ Ｍｏｂｉｌｅ ＴｅｌｅＣｏｍｍｕｎｉｃａｔｉｏｎ Ｓｙｓｔｅｍ （ ＵＭＴＳ )等の、無線通信システム、及びそれらに用いることができる。
【００４１】
また、本発明は、ネットワークデバイスと端末デバイスとに関連して説明した実施例に限定されるものではない。
【００４２】
ここで、ネットワークデバイス１２０は、信号を送信または受信するために使用されるネットワーク側の任意のエンティティがであっても良い。例えば、５Ｇネットワークにおける基地局デバイス等である。
【００４３】
端末デバイス１１０は、任意の端末デバイスであってよい。具体的には、端末デバイス１１０は、アクセス端末、ユーザ機器( Ｕｓｅｒ Ｅｑｕｉｐｍｅｎｔ、ＵＥ )、ユーザ装置、ユーザ局、移動局、リモート端末、モバイルデバイス、ユーザ端末、ワイヤレス通信デバイス、ユーザエージェント、またはユーザ装置とも呼ばれ得る、１つまたは複数のコアネットワーク( Ｃｏｒｅ Ｎｅｔｗｏｒｋ )と、ラジオアクセスネットワーク( Ｒａｄｉｏ Ａｃｃｅｓｓ Ｎｅｔｗｏｒｋ、ＲＡＮ )を介して通信し得る。例えば、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイスなどであってもよい。
【００４４】
なお、ＬＴＥは５Ｇ ＮＲと互換性がないため、図１に示されるシーンは、ＬＴＥシステムにおける疎結合相互接続、密結合方式及び不正アクセス技術には適していない。
【００４５】
そして、本発明の実施例は、５Ｇ ＮＲのシステムメッセージを増強して端末デバイスのＷＬＡＮを構成することで、端末デバイスが目標アクセスポイント( Ａｃｃｅｓｓ Ｐｏｉｎｔ、ＡＰ )を発見し、この目標アクセスポイントを介してＷＬＡＮにアクセスすることができる無線ローカルエリアネットワークのアクセス方法、端末デバイス及びネットワークデバイスを提供する。
【００４６】
図２は、本発明の実施例に係る無線ローカルエリアネットワークのアクセス方法の概略的なフローチャートである。なお、本発明の実施例に係る方法は、５Ｇ通信システムに適用可能である。
【００４７】
具体的に、図２に示すように、この方法は、以下のステップを含む。
【００４８】
２１０において、端末デバイスがネットワークデバイスにシステムメッセージ要求を送信し、該システムメッセージ要求は、該ネットワークデバイスが該端末デバイスにシステムメッセージを送信するように要求する。
【００４９】
２２０において、該ネットワークデバイスが該端末デバイスに該システムメッセージを送信する。
【００５０】
２３０において、該端末デバイスが該システムメッセージに基づいて、無線ローカルエリアネットワークにアクセスする。
【００５１】
具体的に、端末デバイスがネットワークデバイスにシステムメッセージ要求を送信し、該システムメッセージ要求は、該ネットワークデバイスが該端末デバイスにシステムメッセージを送信するように要求し、該システムメッセージは、該端末デバイスが該無線ローカルエリアネットワークにアクセスするための信息であり、該端末デバイスが該ネットワークデバイスにより送信された該システムメッセージを受信する。つまり、ネットワークデバイスが端末デバイスにより送信されたシステムメッセージ要求を受信し、該システム要求メッセージを受信した後、該端末デバイスに該システムメッセージを送信する。
【００５２】
即ち、ネットワークデバイスは、該端末デバイスが該無線ローカルエリアネットワークにアクセスするための情報をシステムメッセージに追加し、端末デバイスにより送信されたシステムメッセージ要求に応答し、該端末デバイスに該システムメッセージを送信する。
【００５３】
すなわち、本発明の実施例では、ネットワークデバイスは、５Ｇ ＮＲのシステムメッセージを増強して端末デバイスのＷＬＡＮを構成することによって、端末デバイスが目標ＡＰを発見し、この目標ＡＰを通じてＷＬＡＮにアクセスすることができる。
【００５４】
すなわち、ＷＬＡＮのオフロード要求を有する５Ｇ ＮＲ＋ＷＬＡＮ端末は、システム情報によりネットワークデバイスからＷＬＡＮへのアクセス情報を取得し、ＷＬＡＮシステムの発見測定を行い、ＷＬＡＮネットワークへアクセスするかどうかを判定し、アクセスする可能であれば、端末は、ＷＬＡＮネットワークを介して、ネットワークデバイスまたはネットワークデバイスが接続するコアネットワークのデータベアラを確立し、ネットワークデバイスの無線ベアラ上のデータストリームをＷＬＡＮインタフェースにオフロードすることを実現し、ライセンス周波数帯ソースの節約を実現する。
【００５５】
すなわち、本発明の実施例に係る無線ローカルエリアネットワークのアクセス方法は、５Ｇ通信システムにおいて、トラフィックの一部又は全部をＷＬＡＮ又はアンライセンス周波数帯に移行させ、ライセンス周波数帯リソースの節約を実現することができる。例えば、トラフィックの一部または全部は、サービス品質( Ｑｕａｌｉｔｙ ｏｆ ｓｅｒｖｉｃｅ、ＱｏＳ )要件を考慮して、ＷＬＡＮまたはアンライセンス周波数帯に移行される。
【００５６】
以下、本発明の実施例に係る端末デバイスがネットワークデバイスに該システムメッセージ要求を送信する実施例について説明する。
【００５７】
ある実施例において、該端末デバイスは、特定のプリアンブルにおいて、該ネットワークデバイスにランダムアクセスメッセージを送信し、該特定のプリアンブルで該ネットワークデバイスが該端末デバイスに該システムメッセージを送信するように要求する。
【００５８】
言い換えれば、このシステムメッセージ要求は、特定のプリアンブル（ｐｒｅａｍｂｌｅ）に対応することができ、ネットワークデバイスは、特定のＰｒｅａｍｂｌｅ上でランダムアクセスメッセージを受信すると、端末がシステムメッセージを要求していると見なされ、ブロードキャスト方式でシステムメッセージを送信することができる。
【００５９】
他の実施例において、該端末デバイスは、該ネットワークデバイスに無線リソース制御ＲＲＣシグナリングを送信し、該ＲＲＣシグナリングが該システムメッセージ要求を含む。
【００６０】
言い換えれば、このシステムメッセージは、端末によって他のＲＲＣシグナリングメッセージ要求を使用して要求し、このＲＲＣシグナリングメッセージ要求は、システムメッセージまたはシステムメッセージを含む複数のＳＩＢを示すことができる必要性を含む必要がある。このネットワークデバイスは、ＲＲＣシグナリングメッセージを受信した後、このシステムメッセージをブロードキャスト又はＲＲＣ専用シグナリングにより送信することができる。 
なお、上記の端末デバイスがネットワークデバイスにシステム要求を送信する実装は、例示的なものであり、本発明の実施例は、これに限定されない。
【００６１】
例えば、該端末デバイスは、特定の物理ランダムアクセスチャネル(Ｐｈｙｓｉｃａｌ Ｒａｎｄｏｍ Ａｃｃｅｓｓ Ｃｈａｎｎｅｌ、ＰＲＡＣＨ)リソースにおいて、該ネットワークデバイスにランダムアクセスメッセージを送信し、該特定のＰＲＡＣＨリソース要求で該ネットワークデバイスが該端末デバイスに該システムメッセージを送信するように要求する。
【００６２】
以下、本発明の実施例において端末デバイスが該ネットワークデバイスにより送信された該システムメッセージを受信する方式を説明する。
【００６３】
限定ではなく例として、該端末デバイスが該ネットワークデバイスにより送信された他のシステム情報（Ｏｔｈｅｒ Ｓｙｓｔｅｍ Ｉｎｆｏｒｍａｔｉｏｎ、Ｏｔｈｅｒ ＳＩ）を受信し、該Ｏｔｈｅｒ ＳＩが該システムメッセージを含む。つまり、該システムメッセージは、ネットワークデバイスが端末デバイスの要求に応答して送信したものである。
【００６４】
なお、ＬＴＥ通信システムにおける端末デバイスが無線ＬＡＮにアクセスするための情報（すなわち本実施例におけるシステム情報）は、システム情報としてブロードキャストされるものであるが、本実施例では、このシステムメッセージは、端末デバイスから要求されるものである。
【００６５】
したがって、５Ｇ ＮＲ通信システム内の端末デバイスは、ネットワークデバイスが無線ベアラ上のデータストリームのアンライセンス周波数帯へのオフロードをサポートするかどうかを知らず、したがって、さらに、ネットワークデバイスは、大量のシステム要求メッセージを受け入れる可能性が高い。
【００６６】
任意選択で、該端末デバイスがネットワークデバイスにシステムメッセージ要求を送信する前に、該端末デバイスが該ネットワークデバイスにより送信された指示情報を受信し、該指示情報は、該ネットワークデバイスが該ネットワークデバイスの無線ベアラ上のデータストリームをアンライセンス周波数帯へオフロードすることをサポートするかどうかを示し、これにより、該端末デバイスは、該ネットワークデバイスが該データストリームをアンライセンス周波数帯へオフロードすることをサポートすると決定する場合、該ネットワークデバイスに該システムメッセージ要求を送信する。
【００６７】
さらに、該指示情報は、さらに、該ネットワークデバイスがサポートするオフロード方式を含む。すなわち、５Ｇ ＮＲシステム情報の中の指示情報は、そのネットワークデバイスがＷＬＡＮオフロードをサポートしているか否かを示すだけでなく、どのＷＬＡＮオフロード方式をサポートしているかも含む。これにより、端末デバイスは、オフロード方式に従って、端末デバイスのデータストリームをアンライセンス周波数帯へオフロードする。
【００６８】
さらに、本発明の実施例において、該オフロード方式は、第１のオフロード方式及び／又は第２のオフロード方式を含み、該第１のオフロード方式は、アクセスネットワークデバイスにより制御されるオフロード方式であり、該第２のオフロード方式は、コアネットワークデバイスにより制御されるオフロード方式である。
【００６９】
具体的には、この第１のオフロード方式は、ネットワークデバイスが制御するＷＬＡＮオフロードであり、コアネットワークデバイス( ＣＮ )による制御を必要とせず、即ち、ＡＰのトラフィックストリームがネットワークデバイスに集約され、このネットワークデバイスがパケットデータ集約プロトコル( Ｐａｃｋｅｔ Ｄａｔａ Ｃｏｎｖｅｒｇｅｎｃｅ Ｐｒｏｔｏｃｏｌ、ＰＤＣＰ )層で集約を行った後、Ｎ３インタフェースを介してＮＲネットワークのコアネットワーク( ５Ｇ Ｃｏｒｅ、５ ＧＣ )に接続され、このオフロードがＣＮに対して透過的に行われる。この第２のオフロード方式は、５ＧＣ ＣＮのＷＬＡＮオフロードでは、このネットワークデバイスが該端末デバイスがＷＬＡＮ ＡＰにアクセスするか否かを完全に制御することができず、端末がコアネットワークとのインタラクションによりＷＬＡＮ ＡＰにアクセスする。しかしながら、ＣＮの制御下で、セッションにおけるサービス品質( Ｑｕａｌｉｔｙ ｏｆ ｓｅｒｖｉｃｅ、ＱｏＳ )ストリームがこのネットワークデバイスからＷＬＡＮ ＡＰに移行することが達成され得る。
【００７０】
なお、上述した第１のオフロード方式及び第２のオフロード方式は、あくまでも例示であり、本発明の実施例は、ネットワークデバイスがサポート可能なオフロード方式を特に限定するものではない。
【００７１】
例えば、他のタイプのＷＬＡＮ ＡＰアクセスがある。具体的には、例えば、５ ＧＣや当該ネットワークデバイスによって制御されていないＷＬＡＮ ＡＰである。
【００７２】
以下、本発明の実施例に係るネットワークデバイスが端末デバイスに指示情報を送信する実施例について説明する
任意選択で、該指示情報は、Ｏｔｈｅｒ ＳＩに、または最小システム情報( ＭＩＳ )に含まれる。
【００７３】
さらに、前記システムメッセージは、前記端末デバイスが位置するセル内のアクセスポイントＡＰ情報と、前記端末デバイスが前記ＡＰにアクセスするか否かを決定するためのパラメータ及び前記ＡＰのバックホールリンク容量情報と、を含むことができ、このように、前記端末デバイスは、前記システムメッセージに基づいて目標ＡＰを決定し、さらに、前記目標ＡＰを介して前記該無線ローカルエリアネットワークにアクセスする。
【００７４】
任意選択で、ＡＰ情報は、端末デバイスが利用可能な少なくとも１つのＡＰの識別情報を含み、さらに、識別情報は、ＡＰのサービスセット識別子( Ｓｅｒｖｉｃｅ Ｓｅｔ Ｉｄｅｎｔｉｆｉｅｒ、ＳＳＩＤ )を含んでもよい。また、例えば、このパラメータは、受信する信号強度インジケータ( Ｒｅｃｅｉｖｅｄ Ｓｉｇｎａｌ Ｓｔｒｅｎｇｔｈ Ｉｎｄｉｃａｔｉｏｎ、ＲＳＳＩ )を含む。
【００７５】
なお、上述したＡＰ情報やパラメータの具体的な内容は、あくまで例示であって、本発明の実施例は、特に限定されるものではない。
【００７６】
図３は本発明の実施例における端末デバイスのブロック図である。
【００７７】
図３に示すように、該端末デバイス３００は、送信ユニット３１０及び受信ユニット３２０を含み、
送信ユニット３１０は、ネットワークデバイスにシステムメッセージ要求を送信するように構成され、該システムメッセージ要求は、該ネットワークデバイスが該端末デバイスにシステムメッセージを送信するように要求し、該システムメッセージは、該端末デバイスが該無線ローカルエリアネットワークにアクセスするための信息であり、
受信ユニット３２０は、該ネットワークデバイスにより送信された該システムメッセージを受信するように構成される。
【００７８】
任意選択で、該送信ユニット３１０は、具体的に、
特定のプリアンブルにおいて、該ネットワークデバイスにランダムアクセスメッセージを送信し、該特定のプリアンブルで該ネットワークデバイスが該端末デバイスに該システムメッセージを送信するように要求するように構成される。
【００７９】
任意選択で、該送信ユニット３１０は、具体的に、
該ネットワークデバイスに無線リソース制御ＲＲＣシグナリングを送信するように構成され、該ＲＲＣシグナリングが該システムメッセージ要求を含む。
【００８０】
任意選択で、該受信ユニット３２０は、具体的に、
該ネットワークデバイスにより送信された他のシステム情報Ｏｔｈｅｒ ＳＩを受信するように構成され、該Ｏｔｈｅｒ ＳＩが該システムメッセージを含む。
【００８１】
任意選択で、該受信ユニット３２０は、さらに、
該送信ユニット３１０がネットワークデバイスにシステムメッセージ要求を送信する前に、該ネットワークデバイスにより送信された指示情報を受信するように構成され、該指示情報は、該ネットワークデバイスが該ネットワークデバイスの無線ベアラ上のデータストリームをアンライセンス周波数帯へオフロードすることをサポートするかどうかを指示し、ここで、該送信ユニット３１０は、具体的に、
該ネットワークデバイスが該データストリームをアンライセンス周波数帯へオフロードすることをサポートすると決定する場合、該ネットワークデバイスに該システムメッセージ要求を送信するように構成される。
【００８２】
任意選択で、該指示情報は、さらに、該ネットワークデバイスがサポートするオフロード方式を含み、
該端末デバイスは、さらに、処理ユニットを含み、
処理ユニットは、該オフロード方式に基づいて、該端末デバイスの該データストリームをアンライセンス周波数帯へオフロードするように構成される。
【００８３】
任意選択で、該オフロード方式は、第１のオフロード方式及び／又は第２のオフロード方式を含み、該第１のオフロード方式は、アクセスネットワークデバイスにより制御されるオフロード方式であり、該第２のオフロード方式は、コアネットワークデバイスにより制御されるオフロード方式である。
【００８４】
任意選択で、該指示情報は、他のシステム情報Ｏｔｈｅｒ ＳＩ、又は、最小システム情報ＭＩＳに含まれる。
【００８５】
任意選択で、該システムメッセージは、
該端末デバイスが位置するセルのアクセスポイントＡＰ情報と、該端末デバイスが該ＡＰにアクセスするかどうかを決定するパラメータ及び該ＡＰ的バックホールリンク容量情報とを含み、該端末デバイスは、さらに、処理ユニットを含み、該処理ユニットは、
該システムメッセージに基づいて目標ＡＰを決定し、該目標ＡＰを介して、該無線ローカルエリアネットワークにアクセスするように構成される。
【００８６】
任意選択で、該ＡＰ情報は、該端末デバイスが利用可能な少なくとも１つＡＰの識別情報を含み、該識別情報は、ＡＰのサービスセット識別子ＳＳＩＤを含む。
【００８７】
任意選択で、該パラメータは、受信する信号強度インジケータＲＳＳＩを含む。
【００８８】
なお、受信ユニット３１０および受信ユニット３２０は、それぞれ送受信機によって実現されてもよく、処理ユニットはプロセッサによって実現されてもよい。図４に示すように、端末デバイス４００は、プロセッサ４１０、送受信機４２０、及びメモリ４３０を含む。ここで、メモリ４３０は、指示情報を記憶するために使用されてもよく、プロセッサ４１０が実行するコード、命令などを記憶するために使用されてもよい。端末デバイス４００内の各構成要素は、データバスの他に、電源バス、制御バス、ステータス信号バス等のバスシステムにより接続されている。
【００８９】
図４に示す端末デバイス４００は、上述の図２の方法の実施例における端末デバイスにより実現される各処理を実現することができるが、重複を避けるために、ここではその説明を省略する。
【００９０】
図５は本発明の実施例におけるネットワークデバイスのブロック図である。
【００９１】
具体的に、該ネットワークデバイス５００は、受信ユニット５１０及び送信ユニット５２０を含み、
受信ユニット５１０は、端末デバイスにより送信されたシステムメッセージ要求を受信するように構成され、該システムメッセージ要求は、該ネットワークデバイスが該端末デバイスにシステムメッセージを送信するように要求する、該システムメッセージは、該端末デバイスが該無線ローカルエリアネットワークにアクセスする情報であり、
送信ユニット５２０は、該端末デバイスに該システムメッセージを送信するように構成される。
【００９２】
任意選択で、該受信ユニット５１０は、具体的に、
特定のプリアンブルにおいて、該端末デバイスにより送信されたランダムアクセスメッセージを受信し、該特定のプリアンブルで該ネットワークデバイスが該端末デバイスに該システムメッセージを送信するように要求するように構成れる。
【００９３】
任意選択で、該受信ユニット５１０は、具体的に、
該端末デバイスにより送信された無線リソース制御ＲＲＣシグナリングを受信するように構成され、該ＲＲＣシグナリングが該システムメッセージ要求を含む。
【００９４】
任意選択で、該送信ユニット５２０は、具体的に、
該端末デバイスに他のシステム情報Ｏｔｈｅｒ ＳＩを送信するように構成され、該Ｏｔｈｅｒ ＳＩが該システムメッセージを含む。
【００９５】
任意選択で、該ネットワークデバイスは、さらに、処理ユニットを含み、
処理ユニットは、該受信ユニット５１０が該端末デバイスにより送信されたシステムメッセージ要求を受信する前に、指示情報を生成するように構成され、該指示情報は、該ネットワークデバイスが該ネットワークデバイスの無線ベアラ上のデータストリームをアンライセンス周波数帯へオフロードすることをサポートするかどうかを指示し、
該送信ユニット５２０は、端末デバイスに該指示情報を送信するように構成される。
【００９６】
任意選択で、該指示情報は、さらに、該ネットワークデバイスがサポートするオフロード方式、これにより、該端末デバイスが該オフロード方式に基づいて、該端末デバイスの該データストリームをアンライセンス周波数帯へオフロードする。
【００９７】
任意選択で、該オフロード方式は、第１のオフロード方式及び／又は第２のオフロード方式を含み、該第１のオフロード方式は、アクセスネットワークデバイスにより制御されるオフロード方式であり、該第２のオフロード方式は、コアネットワークデバイスにより制御されるオフロード方式である。
【００９８】
任意選択で、該指示情報は、他のシステム情報Ｏｔｈｅｒ ＳＩ、又は、最小システム情報ＭＩＳに含まれる。
【００９９】
任意選択で、該システムメッセージは、
該端末デバイスが位置するセルのアクセスポイントＡＰ情報と、該端末デバイスが該ＡＰにアクセスするかどうかを決定するパラメータ及び該ＡＰ的バックホールリンク容量情報とを含む。
【０１００】
任意選択で、該ＡＰ情報は、該端末デバイスが利用可能な少なくとも１つＡＰの識別情報を含み、該識別情報は、ＡＰのサービスセット識別子ＳＳＩＤを含む。
【０１０１】
任意選択で、該パラメータは、受信する信号強度インジケータＲＳＳＩを含む。
【０１０２】
なお、受信ユニット５１０および受信ユニット５２０は、それぞれ送受信機により実現されてもよく、処理ユニットは、プロセッサにより実現されてもよい。図６に示すように、ネットワークデバイス６００は、プロセッサ６１０、送受信機６２０、及びメモリ６３０を含み得る。ここで、メモリ６３０は、指示情報を記憶するために使用されてもよく、プロセッサ６１０が実行するコード、命令などを記憶するために使用されてもよい。ネットワークデバイス６００の各構成要素は、データバスの他に、電源バス、制御バス、ステータス信号バスなどのバスシステムによって接続されている。
【０１０３】
図６に示すネットワークデバイス６００は、前述の図２の方法の実施例におけるネットワークデバイスにより実施される様々なプロセスを実施することができ、重複を避けるためにここでは説明を省略する。
【０１０４】
本発明の実施例における方法の実施例は、プロセッサに適用されてもよく、又はプロセッサによって実装されてもよいことが理解される。
【０１０５】
実施において、本発明の実施例における方法の実施例のステップは、プロセッサにおけるハードウェアの集積論理回路またはソフトウェア形態の命令によって実行されてもよい。より具体的には、本発明の実施例に関連して開示された方法のステップは、ハードウェアデコーディングプロセッサによって実行されることによって直接実施され得るか、または、デコーディングプロセッサ内のハードウェアおよびソフトウェアモジュールの組み合わせによって実行されることによって実施され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当該技術分野における成熟した記憶媒体内に配置され得る。この記憶媒体は、メモリに位置し、プロセッサは、メモリ内の情報を読み取り、ハードウェアとともに上述した方法のステップを実行する。
【０１０６】
ここで、プロセッサは、信号の処理能力を有し、本発明の実施例に開示された方法、ステップ、および論理ブロック図を実施または実行することができる集積回路チップであり得る。例えば、上記のプロセッサは、汎用プロセッサ、デジタル信号プロセッサ( ｄｉｇｉｔａｌ ｓｉｇｎａｌ ｐｒｏｃｅｓｓｏｒ、ＤＳＰ )、特定用途向け集積回路( ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ )、既存のプログラマブルゲートアレイ( ｆｉｅｌｄ ｐｒｏｇｒａｍｍａｂｌｅ ｇａｔｅ ａｒｒａｙ、ＦＰＧＡ )又は他のプログラマブル論理デバイス、トランジスタロジック、ディスクリートハードウェアコンポーネント等であり得る。また、汎用プロセッサはマイクロプロセッサであってもよく、プロセッサは汎用のプロセッサ等であればよい。
【０１０７】
また、本発明の実施例において、メモリは、揮発性メモリまたは不揮発性メモリのいずれであってもよく、揮発性メモリと不揮発性メモリの両方を含んでもよい。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。上述のメモリは、限定ではなく例示的であるが、例えば、本発明の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )等であってもよいことを理解されたい。すなわち、本明細書に記載のシステム及び方法のメモリは、これら及び任意の他の適切なタイプのメモリを含むことを意図しているが、これらに限定されない。
【０１０８】
最後に、本発明の実施例及び添付の特許請求の範囲で使用される用語は、特定の実施例を説明する目的のためだけであり、本発明の実施例を限定することを意図していないことに留意されたい。
【０１０９】
例えば、本発明の実施例及び添付の特許請求の範囲で使用される単数形の「１つの」、「前記」、及び「該」は、文脈が他の意味を明確に示しない限り、複数形も含むことを意図している。
【０１１０】
また、例えば、文脈に応じて、本明細書で使用される「……で」という用語は、「もし」または「……の場合」または「決定に応答して」または「検出に応答して」と解釈され得る。同様に、文脈に応じて、「決定された場合」または「検出された場合(条件または事象の提示された場合)」という句は、「決定された場合」または「決定された場合に応答する」または「検出された場合(条件または事象の提示された場合)」として解釈され得る。
【０１１１】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本発明の実施例の範囲から逸脱するものと考えられるべきではない。
【０１１２】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１１３】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１１４】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、各手段の一部又は全部を、必要に応じて選択して、実施することもできる。
【０１１５】
また、本発明の実施の形態における各機能部は、１つの処理部に集積されていてもよいし、各部は、物理的に単独で存在していてもよいし、２つ以上の部が１つの処理部に集積されていてもよい。
【０１１６】
ソフトウェア機能単位で実現され、独立した製品として販売又は使用される場合、コンピュータ読み取り可能な記録媒体に格納されてもよい。このような理解に基づいて、本発明の実施例の技術的思想の本質または従来技術に寄与する部分、または技術的思想の部分は、１つのコンピュータ装置(パーソナルコンピュータ、サーバ、またはネットワークデバイスなどであってもよい)に本発明の実施例に係る方法のステップの全部または一部を実行させるための複数の命令を含む１つの記憶媒体に記憶されたソフトウェア製品の形態で具現化されてもよい。また、前記記憶媒体としては、Ｕ-ディスク、リムーバブルハードディスク、リードオンリメモリ、ランダムアクセスメモリ、磁気ディスク、光ディスク等のプログラムコードを記憶できる種々の媒体を用いることができる。
【０１１７】
以上、本発明の実施例を具体的に説明したが、本発明の実施例の保護範囲はこれに限定されるものではなく、本発明の実施例の保護範囲内で当業者であれば容易に変更または置換を想到できるものであり、それらも本発明の実施例の保護範囲に包含されるものである。したがって、本発明の実施例の保護範囲は、特許請求の範囲の保護範囲を基準とするべきである。
【図１】
2021510946.tif 000003
【図２】
2021510946.tif 000004
【図３】
2021510946.tif 000005
【図４】
2021510946.tif 000006
【図５】
2021510946.tif 000007
【図６】
2021510946.tif 000008
【手続補正書】
【提出日】令和2年10月26日(2020.10.26)
【手続補正１】
【補正対象書類名】明細書
【補正対象項目名】全文
【補正方法】変更
【補正の内容】
【発明の詳細な説明】
【技術分野】
【０００１】
本発明の実施例は、通信分野に関し、具体的に、無線ローカルエリアネットワークのアクセス方法、端末デバイス及びネットワークデバイスに関する。
【背景技術】
【０００２】
第３世代パートナーシッププロジェクト( Ｔｈｅ ３ｒｄ Ｇｅｎｅｒａｔｉｏｎ Ｐａｒｔｎｅｒｓｈｉｐ Ｐｒｏｊｅｃｔ、３ ＧＰＰ )は、ロングタームエボリューション( Ｌｏｎｇ Ｔｅｒｍ Ｅｖｏｌｕｔｉｏｎ、ＬＴＥ )システムから、無線ローカルエリアネットワーク( Ｗｉｒｅｌｅｓｓ ＬＡＮ、ＷＬＡＮ )の疎結合相互作用および密結合方式およびアンライセンスアクセス技術が導入される。第５世代移動通信技術( ５−Ｇｅｎｅｒａｔｉｏｎ、５Ｇ )の新しいラジオ( Ｎｅｗ Ｒａｄｉｏ、ＮＲ )は、ＷＬＡＮを含むそのようなアンライセンスアクセス技術へのアクセスもサポートする必要があるので、サービス品質( Ｑｕａｌｉｔｙ ｏｆ ｓｅｒｖｉｃｅ、ＱｏＳ )要件を考慮して、トラフィックの一部または全部をＷＬＡＮまたはアンライセンス周波数帯に移行することができ、セルラーネットワークのライセンス周波数帯リソースの節約を実現する。
【０００３】
しかしながら、ＬＴＥは、５Ｇ ＮＲと互換性がないため、ＬＴＥシステムにおける疎結合相互接続、密結合方式及びアンライセンスアクセス技術を、５Ｇ ＮＲに単純に適用することはできない。
【０００４】
現在、５Ｇ ＮＲのアンライセンスアクセス及びＷＬＡＮのＲＡＮ側のアクセスについては、具体的な提案はない。
【発明の概要】
【０００５】
本願は、５Ｇ ＮＲのシステム情報を増強して端末デバイスのＷＬＡＮを構成することで、端末デバイスが目標アクセスポイント( Ａｃｃｅｓｓ Ｐｏｉｎｔ、ＡＰ )を発見し、この目標アクセスポイントを介してＷＬＡＮにアクセスすることができる無線ローカルエリアネットワークのアクセス方法、端末デバイス及びネットワークデバイスを提供する。
【０００６】
第１の態様は、無線ローカルエリアネットワークのアクセス方法を提供し、
端末デバイスがネットワークデバイスにシステムメッセージ要求を送信することと、
前記端末デバイスが前記ネットワークデバイスにより送信された前記システムメッセージを受信することとを含み、
前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための信息である。
【０００７】
本発明の実施例に係る無線ローカルエリアネットワークのアクセス方法は、５Ｇ通信システムにおいて、システム情報を追加することにより、ＷＬＡＮ又はアンライセンス周波数帯にトラフィックの一部又は全部を移行することができ、ライセンス周波数帯リソースの節約を実現する。
【０００８】
実現可能な方式において、前記端末デバイスがネットワークデバイスにシステムメッセージ要求を送信することは、
前記端末デバイスが特定のプリアンブルにおいて、前記ネットワークデバイスにランダムアクセスメッセージを送信し、前記特定のプリアンブルで前記ネットワークデバイスが前記端末デバイスに前記システムメッセージを送信するように要求することを含む。
【０００９】
実現可能な方式において、前記端末デバイスがネットワークデバイスにシステムメッセージ要求を送信することは、
前記端末デバイスが前記ネットワークデバイスに無線リソース制御ＲＲＣシグナリングを送信することを含み、前記ＲＲＣシグナリングが前記システムメッセージ要求を含む。
【００１０】
実現可能な方式において、前記端末デバイスが前記ネットワークデバイスにより送信された前記システムメッセージを受信することは、
前記端末デバイスが前記ネットワークデバイスにより送信された他のシステム情報Ｏｔｈｅｒ ＳＩを受信することを含み、前記Ｏｔｈｅｒ ＳＩが前記システムメッセージを含む。
【００１１】
実現可能な方式において、前記端末デバイスがネットワークデバイスにシステムメッセージ要求を送信する前に、前記方法は、さらに、
前記端末デバイスが前記ネットワークデバイスにより送信された指示情報を受信することを含み、前記指示情報は、前記ネットワークデバイスが前記ネットワークデバイスの無線ベアラ上のデータストリームをアンライセンス周波数帯へオフロードすることをサポートするかどうかを指示し、ここで、前記端末デバイスがネットワークデバイスにシステムメッセージ要求を送信することは、
前記端末デバイスが、前記ネットワークデバイスが前記データストリームをアンライセンス周波数帯へオフロードすることをサポートすると決定する場合、前記ネットワークデバイスに前記システムメッセージ要求を送信することを含む。
【００１２】
実現可能な方式において、前記指示情報が、さらに、前記ネットワークデバイスがサポートするオフロード方式を含み、前記方法は、さらに、
前記端末デバイスが前記オフロード方式に基づいて、前記端末デバイスの前記データストリームをアンライセンス周波数帯へオフロードすることを含む。
【００１３】
実現可能な方式において、前記オフロード方式が第１のオフロード方式及び／又は第２のオフロード方式を含み、前記第１のオフロードがアクセスネットワークデバイスにより制御されるオフロード方式であり、前記第２のオフロード方式がコアネットワークデバイスにより制御されるオフロード方式である。
【００１４】
実現可能な方式において、前記指示情報が他のシステム情報Ｏｔｈｅｒ ＳＩに含まれ、又は、前記指示情報が最小システム情報ＭＩＳに含まれる。
【００１５】
実現可能な方式において、前記システムメッセージは、
前記端末デバイスの位置するセルのアクセスポイントＡＰ情報、及び前記端末デバイスが前記ＡＰにアクセスするかどうかを決定するパラメータ及び前記ＡＰのバックホールリンク容量情報を含み、前記方法は、さらに、
前記端末デバイスが前記システムメッセージに基づいて目標ＡＰを決定することと、前記端末デバイスが前記目標ＡＰを介して、前記無線ローカルエリアネットワークにアクセスすることとを含む。
【００１６】
実現可能な方式において、前記ＡＰ情報が前記端末デバイスが利用可能な少なくとも１つのＡＰの識別情報を含み、前記識別情報がＡＰのサービスセット識別子ＳＳＩＤを含む。
【００１７】
実現可能な方式において、前記パラメータが、受信する信号強度インジケータＲＳＳＩを含む。
【００１８】
第２の態様は、無線ローカルエリアネットワークのアクセス方法を提供し、
ネットワークデバイスが端末デバイスにより送信されたシステムメッセージ要求を受信することと、
前記ネットワークデバイスが前記端末デバイスに前記システムメッセージを送信することとを含み、
前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための情報である。
【００１９】
実現可能な方式において、前記ネットワークデバイスが端末デバイスにより送信されたシステムメッセージ要求を受信することは、
前記ネットワークデバイスが特定のプリアンブルにおいて、前記端末デバイスにより送信されたランダムアクセスメッセージを受信し、前記特定のプリアンブルで前記ネットワークデバイスが前記端末デバイスに前記システムメッセージを送信するように要求することを含む。
【００２０】
実現可能な方式において、前記ネットワークデバイスが端末デバイスにより送信されたシステムメッセージ要求を受信することは、
前記ネットワークデバイスが前記端末デバイスにより送信された無線リソース制御ＲＲＣシグナリングを受信することを含み、前記ＲＲＣシグナリングが前記システムメッセージ要求を含む。
【００２１】
実現可能な方式において、前記ネットワークデバイスが前記端末デバイスに前記システムメッセージを送信することは、
前記ネットワークデバイスが前記端末デバイスに他のシステム情報Ｏｔｈｅｒ ＳＩを送信することを含み、前記Ｏｔｈｅｒ ＳＩが前記システムメッセージを含む。
【００２２】
実現可能な方式において、前記ネットワークデバイスが端末デバイスにより送信されたシステムメッセージ要求を受信する前に、前記方法は、さらに、
前記ネットワークデバイスが指示情報を生成することと、前記ネットワークデバイスが端末デバイスに前記指示情報を送信することとを含み、前記指示情報は、前記ネットワークデバイスが前記ネットワークデバイスの無線ベアラ上のデータストリームをアンライセンス周波数帯へオフロードすることをサポートするかどうかを指示する。
【００２３】
実現可能な方式において、前記端末デバイスが前記オフロード方式に基づいて、前記端末デバイスの前記データストリームをアンライセンス周波数帯へオフロードするように、前記指示情報が、さらに、前記ネットワークデバイスがサポートするオフロード方式を含む。
【００２４】
実現可能な方式において、前記オフロード方式が第１のオフロード方式及び／又は第２のオフロード方式を含み、前記第１のオフロードがアクセスネットワークデバイスにより制御されるオフロード方式であり、前記第２のオフロード方式がコアネットワークデバイスにより制御されるオフロード方式である。
【００２５】
実現可能な方式において、前記指示情報が他のシステム情報Ｏｔｈｅｒ ＳＩに含まれ、又は、前記指示情報が最小システム情報ＭＩＳに含まれる。
【００２６】
実現可能な方式において、前記システムメッセージは、
前記端末デバイスの位置するセルのアクセスポイントＡＰ情報、及び前記端末デバイスが前記ＡＰにアクセスするかどうかを決定するパラメータ及び前記ＡＰのバックホールリンク容量情報を含む。
【００２７】
実現可能な方式において、前記ＡＰ情報が前記端末デバイスが利用可能な少なくとも１つのＡＰの識別情報を含み、前記識別情報がＡＰのサービスセット識別子ＳＳＩＤを含む。
【００２８】
実現可能な方式において、前記パラメータが、受信する信号強度インジケータＲＳＳＩを含む。
【００２９】
第３の態様は、端末デバイスを提供し、送信ユニット及び受信ユニットを備え、
送信ユニットは、ネットワークデバイスにシステムメッセージ要求を送信するように構成され、前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための信息であり、
受信ユニットは、前記ネットワークデバイスにより送信された前記システムメッセージを受信するように構成される。
【００３０】
第４の態様は、端末デバイスを提供し、送受信機を備え、前記送受信機は、
ネットワークデバイスにシステムメッセージ要求を送信し、前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための信息であり、
前記ネットワークデバイスにより送信された前記システムメッセージを受信するように構成される。
【００３１】
第５の態様は、ネットワークデバイスを提供し、受信ユニット及び送信ユニットを備え、
受信ユニットは、端末デバイスにより送信されたシステムメッセージ要求を受信するように構成され、前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための情報であり、
送信ユニットは、前記端末デバイスに前記システムメッセージを送信するように構成される。
【００３２】
第６の態様は、ネットワークデバイスを提供し、送受信機を備え、前記送受信機は、
端末デバイスにより送信されたシステムメッセージ要求を受信し、前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための情報であり、
前記端末デバイスに前記システムメッセージを送信するように構成される。
【００３３】
第７の態様は、上述の第１の態様または第２の態様の方法の実施例を実行するための命令を含むコンピュータプログラムを記憶するためのコンピュータ可読媒体を提供する。
【００３４】
第８の態様は、入力インターフェース、出力インターフェース、少なくとも１つのプロセッサ、及びメモリを備えるコンピュータチップを提供し、プロセッサは、メモリ内のコードを実行し、コードが実行されると、第１の態様又は第２の態様の無線ローカルエリアネットワークのアクセス方法においてネットワークデバイスによって実行される様々なプロセスを実現する。
【００３５】
第９の態様は、入力インタフェースと、出力インタフェースと、少なくとも１つのプロセッサと、及びメモリを備えるコンピュータチップを提供し、前記プロセッサは、前記メモリ内のコードを実行し、前記コードが実行されると、上記第１の態様または上記第２の態様の無線ローカルエリアネットワークのアクセス方法において端末デバイスによって実行される様々なプロセスを実現する。
【００３６】
第１０態様は、上記ネットワークデバイスと端末デバイスとを備えた通信システムを提供する。
【図面の簡単な説明】
【００３７】
【図１】本発明の応用シーンの例である。
【図２】本発明の実施例における無線ローカルエリアネットワークのアクセス方法のフローチャートである。
【図３】本発明の実施例におけるネットワークデバイスのブロック図である。
【図４】本発明の実施例における他のネットワークデバイスのブロック図である。
【図５】本発明の実施例における端末デバイスのブロック図である。
【図６】本発明の実施例における他の端末デバイスのブロック図である。
【発明を実施するための形態】
【００３８】
図１は、本発明の実施例の５Ｇ適用シーンの概略図である。
【００３９】
図１に示すように、通信システム１００は、端末デバイス１１０と、ネットワークデバイス１２０とを含みうる。ネットワークデバイス１２０は、エアインターフェースを通じて端末デバイス１１０と通信し得る。端末デバイス１１０とネットワークデバイス１２０との間でマルチサービス伝送がサポートされる。
【００４０】
本発明の実施例は、５Ｇ通信システム１００を例としてのみ説明されるが、本発明の実施例は、これに限定されないことを理解されたい。すなわち、本発明の実施例に係る技術は、５Ｇ通信システムを始めとする様々な場面に適用することができる。例えば、５Ｇ通信システムと第１通信システムとからなるハイブリッド展開シナリオ等が挙げられる。ここで、当該第１の通信システムは、どのような通信システムであってもよい。例えば、Ｇｌｏｂａｌ Ｓｙｓｔｅｍ ｏｆ Ｍｏｂｉｌｅ Ｃｏｍｍｕｎｉｃａｔｉｏｎ （ ＧＳＭ )システム、Ｃｏｄｅ Ｄｉｖｉｓｉｏｎ Ｍｕｌｔｉｐｌｅ Ａｃｃｅｓｓ （ ＣＤＭＡ )システム、Ｗｉｄｅｂａｎｄ Ｃｏｄｅ Ｄｉｖｉｓｉｏｎ Ｍｕｌｔｉｐｌｅ Ａｃｃｅｓｓ （ ＷＣＤＭＡ )システム、Ｇｅｎｅｒａｌ  Ｐａｃｋｅｔ  Ｒａｄｉｏ  Ｓｅｒｖｉｃｅ  （  ＧＰＲＳ )、Ｌｏｎｇ Ｔｅｒｍ Ｅｖｏｌｕｔｉｏｎ （ ＬＴＥ )システム、Ｔｉｍｅ  Ｄｉｖｉｓｉｏｎ  Ｄｕｐｌｅｘ （ ＴＤＤ ）、Ｕｎｉｖｅｒｓａｌ Ｍｏｂｉｌｅ ＴｅｌｅＣｏｍｍｕｎｉｃａｔｉｏｎ Ｓｙｓｔｅｍ （ ＵＭＴＳ )等の、無線通信システム、及びそれらに用いることができる。
【００４１】
また、本発明は、ネットワークデバイスと端末デバイスとに関連して説明した実施例に限定されるものではない。
【００４２】
ここで、ネットワークデバイス１２０は、信号を送信または受信するために使用されるネットワーク側の任意のエンティティがであっても良い。例えば、５Ｇネットワークにおける基地局デバイス等である。
【００４３】
端末デバイス１１０は、任意の端末デバイスであってよい。具体的には、端末デバイス１１０は、アクセス端末、ユーザ機器( Ｕｓｅｒ Ｅｑｕｉｐｍｅｎｔ、ＵＥ )、ユーザ装置、ユーザ局、移動局、リモート端末、モバイルデバイス、ユーザ端末、ワイヤレス通信デバイス、ユーザエージェント、またはユーザ装置とも呼ばれ得る、１つまたは複数のコアネットワーク( Ｃｏｒｅ Ｎｅｔｗｏｒｋ )と、ラジオアクセスネットワーク( Ｒａｄｉｏ Ａｃｃｅｓｓ Ｎｅｔｗｏｒｋ、ＲＡＮ )を介して通信し得る。例えば、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイスなどであってもよい。
【００４４】
なお、ＬＴＥは５Ｇ ＮＲと互換性がないため、図１に示されるシーンは、ＬＴＥシステムにおける疎結合相互接続、密結合方式及び不正アクセス技術には適していない。
【００４５】
そして、本発明の実施例は、５Ｇ ＮＲのシステムメッセージを増強して端末デバイスのＷＬＡＮを構成することで、端末デバイスが目標アクセスポイント( Ａｃｃｅｓｓ Ｐｏｉｎｔ、ＡＰ )を発見し、この目標アクセスポイントを介してＷＬＡＮにアクセスすることができる無線ローカルエリアネットワークのアクセス方法、端末デバイス及びネットワークデバイスを提供する。
【００４６】
図２は、本発明の実施例に係る無線ローカルエリアネットワークのアクセス方法の概略的なフローチャートである。なお、本発明の実施例に係る方法は、５Ｇ通信システムに適用可能である。
【００４７】
具体的に、図２に示すように、この方法は、以下のステップを含む。
【００４８】
２１０において、端末デバイスがネットワークデバイスにシステムメッセージ要求を送信し、該システムメッセージ要求は、該ネットワークデバイスが該端末デバイスにシステムメッセージを送信するように要求する。
【００４９】
２２０において、該ネットワークデバイスが該端末デバイスに該システムメッセージを送信する。
【００５０】
２３０において、該端末デバイスが該システムメッセージに基づいて、無線ローカルエリアネットワークにアクセスする。
【００５１】
具体的に、端末デバイスがネットワークデバイスにシステムメッセージ要求を送信し、該システムメッセージ要求は、該ネットワークデバイスが該端末デバイスにシステムメッセージを送信するように要求し、該システムメッセージは、該端末デバイスが該無線ローカルエリアネットワークにアクセスするための信息であり、該端末デバイスが該ネットワークデバイスにより送信された該システムメッセージを受信する。つまり、ネットワークデバイスが端末デバイスにより送信されたシステムメッセージ要求を受信し、該システム要求メッセージを受信した後、該端末デバイスに該システムメッセージを送信する。
【００５２】
即ち、ネットワークデバイスは、該端末デバイスが該無線ローカルエリアネットワークにアクセスするための情報をシステムメッセージに追加し、端末デバイスにより送信されたシステムメッセージ要求に応答し、該端末デバイスに該システムメッセージを送信する。
【００５３】
すなわち、本発明の実施例では、ネットワークデバイスは、５Ｇ ＮＲのシステムメッセージを増強して端末デバイスのＷＬＡＮを構成することによって、端末デバイスが目標ＡＰを発見し、この目標ＡＰを通じてＷＬＡＮにアクセスすることができる。
【００５４】
すなわち、ＷＬＡＮのオフロード要求を有する５Ｇ ＮＲ＋ＷＬＡＮ端末は、システム情報によりネットワークデバイスからＷＬＡＮへのアクセス情報を取得し、ＷＬＡＮシステムの発見測定を行い、ＷＬＡＮネットワークへアクセスするかどうかを判定し、アクセスする可能であれば、端末は、ＷＬＡＮネットワークを介して、ネットワークデバイスまたはネットワークデバイスが接続するコアネットワークのデータベアラを確立し、ネットワークデバイスの無線ベアラ上のデータストリームをＷＬＡＮインタフェースにオフロードすることを実現し、ライセンス周波数帯ソースの節約を実現する。
【００５５】
すなわち、本発明の実施例に係る無線ローカルエリアネットワークのアクセス方法は、５Ｇ通信システムにおいて、トラフィックの一部又は全部をＷＬＡＮ又はアンライセンス周波数帯に移行させ、ライセンス周波数帯リソースの節約を実現することができる。例えば、トラフィックの一部または全部は、サービス品質( Ｑｕａｌｉｔｙ ｏｆ ｓｅｒｖｉｃｅ、ＱｏＳ )要件を考慮して、ＷＬＡＮまたはアンライセンス周波数帯に移行される。
【００５６】
以下、本発明の実施例に係る端末デバイスがネットワークデバイスに該システムメッセージ要求を送信する実施例について説明する。
【００５７】
ある実施例において、該端末デバイスは、特定のプリアンブルにおいて、該ネットワークデバイスにランダムアクセスメッセージを送信し、該特定のプリアンブルで該ネットワークデバイスが該端末デバイスに該システムメッセージを送信するように要求する。
【００５８】
言い換えれば、このシステムメッセージ要求は、特定のプリアンブル（ｐｒｅａｍｂｌｅ）に対応することができ、ネットワークデバイスは、特定のＰｒｅａｍｂｌｅ上でランダムアクセスメッセージを受信すると、端末がシステムメッセージを要求していると見なされ、ブロードキャスト方式でシステムメッセージを送信することができる。
【００５９】
他の実施例において、該端末デバイスは、該ネットワークデバイスに無線リソース制御ＲＲＣシグナリングを送信し、該ＲＲＣシグナリングが該システムメッセージ要求を含む。
【００６０】
言い換えれば、このシステムメッセージは、端末によって他のＲＲＣシグナリングメッセージ要求を使用して要求し、このＲＲＣシグナリングメッセージ要求は、システムメッセージまたはシステムメッセージを含む複数のＳＩＢを示すことができる必要性を含む必要がある。このネットワークデバイスは、ＲＲＣシグナリングメッセージを受信した後、このシステムメッセージをブロードキャスト又はＲＲＣ専用シグナリングにより送信することができる。 
なお、上記の端末デバイスがネットワークデバイスにシステム要求を送信する実装は、例示的なものであり、本発明の実施例は、これに限定されない。
【００６１】
例えば、該端末デバイスは、特定の物理ランダムアクセスチャネル(Ｐｈｙｓｉｃａｌ Ｒａｎｄｏｍ Ａｃｃｅｓｓ Ｃｈａｎｎｅｌ、ＰＲＡＣＨ)リソースにおいて、該ネットワークデバイスにランダムアクセスメッセージを送信し、該特定のＰＲＡＣＨリソース要求で該ネットワークデバイスが該端末デバイスに該システムメッセージを送信するように要求する。
【００６２】
以下、本発明の実施例において端末デバイスが該ネットワークデバイスにより送信された該システムメッセージを受信する方式を説明する。
【００６３】
限定ではなく例として、該端末デバイスが該ネットワークデバイスにより送信された他のシステム情報（Ｏｔｈｅｒ Ｓｙｓｔｅｍ Ｉｎｆｏｒｍａｔｉｏｎ、Ｏｔｈｅｒ ＳＩ）を受信し、該Ｏｔｈｅｒ ＳＩが該システムメッセージを含む。つまり、該システムメッセージは、ネットワークデバイスが端末デバイスの要求に応答して送信したものである。
【００６４】
なお、ＬＴＥ通信システムにおける端末デバイスが無線ＬＡＮにアクセスするための情報（すなわち本実施例におけるシステム情報）は、システム情報としてブロードキャストされるものであるが、本実施例では、このシステムメッセージは、端末デバイスから要求されるものである。
【００６５】
したがって、５Ｇ ＮＲ通信システム内の端末デバイスは、ネットワークデバイスが無線ベアラ上のデータストリームのアンライセンス周波数帯へのオフロードをサポートするかどうかを知らず、したがって、さらに、ネットワークデバイスは、大量のシステム要求メッセージを受け入れる可能性が高い。
【００６６】
任意選択で、該端末デバイスがネットワークデバイスにシステムメッセージ要求を送信する前に、該端末デバイスが該ネットワークデバイスにより送信された指示情報を受信し、該指示情報は、該ネットワークデバイスが該ネットワークデバイスの無線ベアラ上のデータストリームをアンライセンス周波数帯へオフロードすることをサポートするかどうかを示し、これにより、該端末デバイスは、該ネットワークデバイスが該データストリームをアンライセンス周波数帯へオフロードすることをサポートすると決定する場合、該ネットワークデバイスに該システムメッセージ要求を送信する。
【００６７】
さらに、該指示情報は、さらに、該ネットワークデバイスがサポートするオフロード方式を含む。すなわち、５Ｇ ＮＲシステム情報の中の指示情報は、そのネットワークデバイスがＷＬＡＮオフロードをサポートしているか否かを示すだけでなく、どのＷＬＡＮオフロード方式をサポートしているかも含む。これにより、端末デバイスは、オフロード方式に従って、端末デバイスのデータストリームをアンライセンス周波数帯へオフロードする。
【００６８】
さらに、本発明の実施例において、該オフロード方式は、第１のオフロード方式及び／又は第２のオフロード方式を含み、該第１のオフロード方式は、アクセスネットワークデバイスにより制御されるオフロード方式であり、該第２のオフロード方式は、コアネットワークデバイスにより制御されるオフロード方式である。
【００６９】
具体的には、この第１のオフロード方式は、ネットワークデバイスが制御するＷＬＡＮオフロードであり、コアネットワークデバイス( ＣＮ )による制御を必要とせず、即ち、ＡＰのトラフィックストリームがネットワークデバイスに集約され、このネットワークデバイスがパケットデータ集約プロトコル( Ｐａｃｋｅｔ Ｄａｔａ Ｃｏｎｖｅｒｇｅｎｃｅ Ｐｒｏｔｏｃｏｌ、ＰＤＣＰ )層で集約を行った後、Ｎ３インタフェースを介してＮＲネットワークのコアネットワーク( ５Ｇ Ｃｏｒｅ、５ ＧＣ )に接続され、このオフロードがＣＮに対して透過的に行われる。この第２のオフロード方式は、５ＧＣ ＣＮのＷＬＡＮオフロードでは、このネットワークデバイスが該端末デバイスがＷＬＡＮ ＡＰにアクセスするか否かを完全に制御することができず、端末がコアネットワークとのインタラクションによりＷＬＡＮ ＡＰにアクセスする。しかしながら、ＣＮの制御下で、セッションにおけるサービス品質( Ｑｕａｌｉｔｙ ｏｆ ｓｅｒｖｉｃｅ、ＱｏＳ )ストリームがこのネットワークデバイスからＷＬＡＮ ＡＰに移行することが達成され得る。
【００７０】
なお、上述した第１のオフロード方式及び第２のオフロード方式は、あくまでも例示であり、本発明の実施例は、ネットワークデバイスがサポート可能なオフロード方式を特に限定するものではない。
【００７１】
例えば、他のタイプのＷＬＡＮ ＡＰアクセスがある。具体的には、例えば、５ ＧＣや当該ネットワークデバイスによって制御されていないＷＬＡＮ ＡＰである。
【００７２】
以下、本発明の実施例に係るネットワークデバイスが端末デバイスに指示情報を送信する実施例について説明する
任意選択で、該指示情報は、Ｏｔｈｅｒ ＳＩに、または最小システム情報( ＭＩＳ )に含まれる。
【００７３】
さらに、前記システムメッセージは、前記端末デバイスが位置するセル内のアクセスポイントＡＰ情報と、前記端末デバイスが前記ＡＰにアクセスするか否かを決定するためのパラメータ及び前記ＡＰのバックホールリンク容量情報と、を含むことができ、このように、前記端末デバイスは、前記システムメッセージに基づいて目標ＡＰを決定し、さらに、前記目標ＡＰを介して前記該無線ローカルエリアネットワークにアクセスする。
【００７４】
任意選択で、ＡＰ情報は、端末デバイスが利用可能な少なくとも１つのＡＰの識別情報を含み、さらに、識別情報は、ＡＰのサービスセット識別子( Ｓｅｒｖｉｃｅ Ｓｅｔ Ｉｄｅｎｔｉｆｉｅｒ、ＳＳＩＤ )を含んでもよい。また、例えば、このパラメータは、受信する信号強度インジケータ( Ｒｅｃｅｉｖｅｄ Ｓｉｇｎａｌ Ｓｔｒｅｎｇｔｈ Ｉｎｄｉｃａｔｉｏｎ、ＲＳＳＩ )を含む。
【００７５】
なお、上述したＡＰ情報やパラメータの具体的な内容は、あくまで例示であって、本発明の実施例は、特に限定されるものではない。
【００７６】
図３は本発明の実施例における端末デバイスのブロック図である。
【００７７】
図３に示すように、該端末デバイス３００は、送信ユニット３１０及び受信ユニット３２０を含み、
送信ユニット３１０は、ネットワークデバイスにシステムメッセージ要求を送信するように構成され、該システムメッセージ要求は、該ネットワークデバイスが該端末デバイスにシステムメッセージを送信するように要求し、該システムメッセージは、該端末デバイスが該無線ローカルエリアネットワークにアクセスするための信息であり、
受信ユニット３２０は、該ネットワークデバイスにより送信された該システムメッセージを受信するように構成される。
【００７８】
任意選択で、該送信ユニット３１０は、具体的に、
特定のプリアンブルにおいて、該ネットワークデバイスにランダムアクセスメッセージを送信し、該特定のプリアンブルで該ネットワークデバイスが該端末デバイスに該システムメッセージを送信するように要求するように構成される。
【００７９】
任意選択で、該送信ユニット３１０は、具体的に、
該ネットワークデバイスに無線リソース制御ＲＲＣシグナリングを送信するように構成され、該ＲＲＣシグナリングが該システムメッセージ要求を含む。
【００８０】
任意選択で、該受信ユニット３２０は、具体的に、
該ネットワークデバイスにより送信された他のシステム情報Ｏｔｈｅｒ ＳＩを受信するように構成され、該Ｏｔｈｅｒ ＳＩが該システムメッセージを含む。
【００８１】
任意選択で、該受信ユニット３２０は、さらに、
該送信ユニット３１０がネットワークデバイスにシステムメッセージ要求を送信する前に、該ネットワークデバイスにより送信された指示情報を受信するように構成され、該指示情報は、該ネットワークデバイスが該ネットワークデバイスの無線ベアラ上のデータストリームをアンライセンス周波数帯へオフロードすることをサポートするかどうかを指示し、ここで、該送信ユニット３１０は、具体的に、
該ネットワークデバイスが該データストリームをアンライセンス周波数帯へオフロードすることをサポートすると決定する場合、該ネットワークデバイスに該システムメッセージ要求を送信するように構成される。
【００８２】
任意選択で、該指示情報は、さらに、該ネットワークデバイスがサポートするオフロード方式を含み、
該端末デバイスは、さらに、処理ユニットを含み、
処理ユニットは、該オフロード方式に基づいて、該端末デバイスの該データストリームをアンライセンス周波数帯へオフロードするように構成される。
【００８３】
任意選択で、該オフロード方式は、第１のオフロード方式及び／又は第２のオフロード方式を含み、該第１のオフロード方式は、アクセスネットワークデバイスにより制御されるオフロード方式であり、該第２のオフロード方式は、コアネットワークデバイスにより制御されるオフロード方式である。
【００８４】
任意選択で、該指示情報は、他のシステム情報Ｏｔｈｅｒ ＳＩ、又は、最小システム情報ＭＩＳに含まれる。
【００８５】
任意選択で、該システムメッセージは、
該端末デバイスが位置するセルのアクセスポイントＡＰ情報と、該端末デバイスが該ＡＰにアクセスするかどうかを決定するパラメータ及び該ＡＰ的バックホールリンク容量情報とを含み、該端末デバイスは、さらに、処理ユニットを含み、該処理ユニットは、
該システムメッセージに基づいて目標ＡＰを決定し、該目標ＡＰを介して、該無線ローカルエリアネットワークにアクセスするように構成される。
【００８６】
任意選択で、該ＡＰ情報は、該端末デバイスが利用可能な少なくとも１つＡＰの識別情報を含み、該識別情報は、ＡＰのサービスセット識別子ＳＳＩＤを含む。
【００８７】
任意選択で、該パラメータは、受信する信号強度インジケータＲＳＳＩを含む。
【００８８】
なお、受信ユニット３１０および受信ユニット３２０は、それぞれ送受信機によって実現されてもよく、処理ユニットはプロセッサによって実現されてもよい。図４に示すように、端末デバイス４００は、プロセッサ４１０、送受信機４２０、及びメモリ４３０を含む。ここで、メモリ４３０は、指示情報を記憶するために使用されてもよく、プロセッサ４１０が実行するコード、命令などを記憶するために使用されてもよい。端末デバイス４００内の各構成要素は、データバスの他に、電源バス、制御バス、ステータス信号バス等のバスシステムにより接続されている。
【００８９】
図４に示す端末デバイス４００は、上述の図２の方法の実施例における端末デバイスにより実現される各処理を実現することができるが、重複を避けるために、ここではその説明を省略する。
【００９０】
図５は本発明の実施例におけるネットワークデバイスのブロック図である。
【００９１】
具体的に、該ネットワークデバイス５００は、受信ユニット５１０及び送信ユニット５２０を含み、
受信ユニット５１０は、端末デバイスにより送信されたシステムメッセージ要求を受信するように構成され、該システムメッセージ要求は、該ネットワークデバイスが該端末デバイスにシステムメッセージを送信するように要求する、該システムメッセージは、該端末デバイスが該無線ローカルエリアネットワークにアクセスする情報であり、
送信ユニット５２０は、該端末デバイスに該システムメッセージを送信するように構成される。
【００９２】
任意選択で、該受信ユニット５１０は、具体的に、
特定のプリアンブルにおいて、該端末デバイスにより送信されたランダムアクセスメッセージを受信し、該特定のプリアンブルで該ネットワークデバイスが該端末デバイスに該システムメッセージを送信するように要求するように構成れる。
【００９３】
任意選択で、該受信ユニット５１０は、具体的に、
該端末デバイスにより送信された無線リソース制御ＲＲＣシグナリングを受信するように構成され、該ＲＲＣシグナリングが該システムメッセージ要求を含む。
【００９４】
任意選択で、該送信ユニット５２０は、具体的に、
該端末デバイスに他のシステム情報Ｏｔｈｅｒ ＳＩを送信するように構成され、該Ｏｔｈｅｒ ＳＩが該システムメッセージを含む。
【００９５】
任意選択で、該ネットワークデバイスは、さらに、処理ユニットを含み、
処理ユニットは、該受信ユニット５１０が該端末デバイスにより送信されたシステムメッセージ要求を受信する前に、指示情報を生成するように構成され、該指示情報は、該ネットワークデバイスが該ネットワークデバイスの無線ベアラ上のデータストリームをアンライセンス周波数帯へオフロードすることをサポートするかどうかを指示し、
該送信ユニット５２０は、端末デバイスに該指示情報を送信するように構成される。
【００９６】
任意選択で、該指示情報は、さらに、該ネットワークデバイスがサポートするオフロード方式、これにより、該端末デバイスが該オフロード方式に基づいて、該端末デバイスの該データストリームをアンライセンス周波数帯へオフロードする。
【００９７】
任意選択で、該オフロード方式は、第１のオフロード方式及び／又は第２のオフロード方式を含み、該第１のオフロード方式は、アクセスネットワークデバイスにより制御されるオフロード方式であり、該第２のオフロード方式は、コアネットワークデバイスにより制御されるオフロード方式である。
【００９８】
任意選択で、該指示情報は、他のシステム情報Ｏｔｈｅｒ ＳＩ、又は、最小システム情報ＭＩＳに含まれる。
【００９９】
任意選択で、該システムメッセージは、
該端末デバイスが位置するセルのアクセスポイントＡＰ情報と、該端末デバイスが該ＡＰにアクセスするかどうかを決定するパラメータ及び該ＡＰ的バックホールリンク容量情報とを含む。
【０１００】
任意選択で、該ＡＰ情報は、該端末デバイスが利用可能な少なくとも１つＡＰの識別情報を含み、該識別情報は、ＡＰのサービスセット識別子ＳＳＩＤを含む。
【０１０１】
任意選択で、該パラメータは、受信する信号強度インジケータＲＳＳＩを含む。
【０１０２】
なお、受信ユニット５１０および受信ユニット５２０は、それぞれ送受信機により実現されてもよく、処理ユニットは、プロセッサにより実現されてもよい。図６に示すように、ネットワークデバイス６００は、プロセッサ６１０、送受信機６２０、及びメモリ６３０を含み得る。ここで、メモリ６３０は、指示情報を記憶するために使用されてもよく、プロセッサ６１０が実行するコード、命令などを記憶するために使用されてもよい。ネットワークデバイス６００の各構成要素は、データバスの他に、電源バス、制御バス、ステータス信号バスなどのバスシステムによって接続されている。
【０１０３】
図６に示すネットワークデバイス６００は、前述の図２の方法の実施例におけるネットワークデバイスにより実施される様々なプロセスを実施することができ、重複を避けるためにここでは説明を省略する。
【０１０４】
本発明の実施例における方法の実施例は、プロセッサに適用されてもよく、又はプロセッサによって実装されてもよいことが理解される。
【０１０５】
実施において、本発明の実施例における方法の実施例のステップは、プロセッサにおけるハードウェアの集積論理回路またはソフトウェア形態の命令によって実行されてもよい。より具体的には、本発明の実施例に関連して開示された方法のステップは、ハードウェアデコーディングプロセッサによって実行されることによって直接実施され得るか、または、デコーディングプロセッサ内のハードウェアおよびソフトウェアモジュールの組み合わせによって実行されることによって実施され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当該技術分野における成熟した記憶媒体内に配置され得る。この記憶媒体は、メモリに位置し、プロセッサは、メモリ内の情報を読み取り、ハードウェアとともに上述した方法のステップを実行する。
【０１０６】
ここで、プロセッサは、信号の処理能力を有し、本発明の実施例に開示された方法、ステップ、および論理ブロック図を実施または実行することができる集積回路チップであり得る。例えば、上記のプロセッサは、汎用プロセッサ、デジタル信号プロセッサ( ｄｉｇｉｔａｌ ｓｉｇｎａｌ ｐｒｏｃｅｓｓｏｒ、ＤＳＰ )、特定用途向け集積回路( ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ )、既存のプログラマブルゲートアレイ( ｆｉｅｌｄ ｐｒｏｇｒａｍｍａｂｌｅ ｇａｔｅ ａｒｒａｙ、ＦＰＧＡ )又は他のプログラマブル論理デバイス、トランジスタロジック、ディスクリートハードウェアコンポーネント等であり得る。また、汎用プロセッサはマイクロプロセッサであってもよく、プロセッサは汎用のプロセッサ等であればよい。
【０１０７】
また、本発明の実施例において、メモリは、揮発性メモリまたは不揮発性メモリのいずれであってもよく、揮発性メモリと不揮発性メモリの両方を含んでもよい。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。上述のメモリは、限定ではなく例示的であるが、例えば、本発明の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )等であってもよいことを理解されたい。すなわち、本明細書に記載のシステム及び方法のメモリは、これら及び任意の他の適切なタイプのメモリを含むことを意図しているが、これらに限定されない。
【０１０８】
最後に、本発明の実施例及び添付の特許請求の範囲で使用される用語は、特定の実施例を説明する目的のためだけであり、本発明の実施例を限定することを意図していないことに留意されたい。
【０１０９】
例えば、本発明の実施例及び添付の特許請求の範囲で使用される単数形の「１つの」、「前記」、及び「該」は、文脈が他の意味を明確に示しない限り、複数形も含むことを意図している。
【０１１０】
また、例えば、文脈に応じて、本明細書で使用される「……で」という用語は、「もし」または「……の場合」または「決定に応答して」または「検出に応答して」と解釈され得る。同様に、文脈に応じて、「決定された場合」または「検出された場合(条件または事象の提示された場合)」という句は、「決定された場合」または「決定された場合に応答する」または「検出された場合(条件または事象の提示された場合)」として解釈され得る。
【０１１１】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本発明の実施例の範囲から逸脱するものと考えられるべきではない。
【０１１２】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１１３】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１１４】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、各手段の一部又は全部を、必要に応じて選択して、実施することもできる。
【０１１５】
また、本発明の実施の形態における各機能部は、１つの処理部に集積されていてもよいし、各部は、物理的に単独で存在していてもよいし、２つ以上の部が１つの処理部に集積されていてもよい。
【０１１６】
ソフトウェア機能単位で実現され、独立した製品として販売又は使用される場合、コンピュータ読み取り可能な記録媒体に格納されてもよい。このような理解に基づいて、本発明の実施例の技術的思想の本質または従来技術に寄与する部分、または技術的思想の部分は、１つのコンピュータ装置(パーソナルコンピュータ、サーバ、またはネットワークデバイスなどであってもよい)に本発明の実施例に係る方法のステップの全部または一部を実行させるための複数の命令を含む１つの記憶媒体に記憶されたソフトウェア製品の形態で具現化されてもよい。また、前記記憶媒体としては、Ｕ-ディスク、リムーバブルハードディスク、リードオンリメモリ、ランダムアクセスメモリ、磁気ディスク、光ディスク等のプログラムコードを記憶できる種々の媒体を用いることができる。
【０１１７】
以上、本発明の実施例を具体的に説明したが、本発明の実施例の保護範囲はこれに限定されるものではなく、本発明の実施例の保護範囲内で当業者であれば容易に変更または置換を想到できるものであり、それらも本発明の実施例の保護範囲に包含されるものである。したがって、本発明の実施例の保護範囲は、特許請求の範囲の保護範囲を基準とするべきである。
【手続補正２】
【補正対象書類名】特許請求の範囲
【補正対象項目名】全文
【補正方法】変更
【補正の内容】
【特許請求の範囲】
【請求項１】
端末デバイスがネットワークデバイスにシステムメッセージ要求を送信することと、
前記端末デバイスが前記ネットワークデバイスにより送信されたシステムメッセージを受信することとを含み、
前記システムメッセージ要求は、前記ネットワークデバイスが前記端末デバイスにシステムメッセージを送信するように要求し、前記システムメッセージは、前記端末デバイスが前記無線ローカルエリアネットワークにアクセスするための信息である
ことを特徴とする無線ローカルエリアネットワークのアクセス方法。
【請求項２】
前記端末デバイスがネットワークデバイスにシステムメッセージ要求を送信することは、
前記端末デバイスが特定のプリアンブルにおいて、前記ネットワークデバイスにランダムアクセスメッセージを送信し、前記特定のプリアンブルで前記ネットワークデバイスが前記端末デバイスに前記システムメッセージを送信するように要求すること、
又は、
前記端末デバイスが前記ネットワークデバイスに無線リソース制御ＲＲＣシグナリングを送信することを含み、前記ＲＲＣシグナリングが前記システムメッセージ要求することを含む
ことを特徴とする請求項１に記載の無線ローカルエリアネットワークのアクセス方法。
【請求項３】
前記端末デバイスが前記ネットワークデバイスにより送信された前記システムメッセージを受信することは、
前記端末デバイスが前記ネットワークデバイスにより送信された他のシステム情報Ｏｔｈｅｒ ＳＩを受信することを含み、前記Ｏｔｈｅｒ ＳＩが前記システムメッセージを含む
ことを特徴とする請求項１〜２のいずれか１項に記載の無線ローカルエリアネットワークのアクセス方法。
【請求項４】
前記端末デバイスがネットワークデバイスにシステムメッセージ要求を送信する前に、前記方法は、さらに、
前記端末デバイスが前記ネットワークデバイスにより送信された指示情報を受信することを含み、前記指示情報は、前記ネットワークデバイスが前記ネットワークデバイスの無線ベアラ上のデータストリームをアンライセンス周波数帯へオフロードすることをサポートするかどうかを指示し、
前記端末デバイスがネットワークデバイスにシステムメッセージ要求を送信することは、
前記端末デバイスが、前記ネットワークデバイスが前記データストリームをアンライセンス周波数帯へオフロードすることをサポートすると決定する場合、前記ネットワークデバイスに前記システムメッセージ要求を送信することを含む
ことを特徴とする請求項１〜３のいずれか１項に記載の無線ローカルエリアネットワークのアクセス方法。
【請求項５】
前記指示情報が、さらに、前記ネットワークデバイスがサポートするオフロード方式を含み、
前記方法は、さらに、
前記端末デバイスが前記オフロード方式に基づいて、前記端末デバイスの前記データストリームをアンライセンス周波数帯へオフロードすることを含む
ことを特徴とする請求項４に記載の無線ローカルエリアネットワークのアクセス方法。
【請求項６】
前記オフロード方式が第１のオフロード方式及び／又は第２のオフロード方式を含み、前記第１のオフロードがアクセスネットワークデバイスにより制御されるオフロード方式であり、前記第２のオフロード方式がコアネットワークデバイスにより制御されるオフロード方式である
ことを特徴とする請求項５に記載の無線ローカルエリアネットワークのアクセス方法。
【請求項７】
前記指示情報が他のシステム情報Ｏｔｈｅｒ ＳＩに含まれ、又は、前記指示情報が最小システム情報ＭＩＳに含まれる
ことを特徴とする請求項４〜６のいずれか１項に記載の無線ローカルエリアネットワークのアクセス方法。
【請求項８】
前記システムメッセージは、
前記端末デバイスの位置するセルのアクセスポイントＡＰ情報、及び前記端末デバイスが前記ＡＰにアクセスするかどうかを決定するパラメータ及び前記ＡＰのバックホールリンク容量情報を含み、
前記方法は、さらに、
前記端末デバイスが前記システムメッセージに基づいて目標ＡＰを決定することと、
前記端末デバイスが前記目標ＡＰを介して、前記無線ローカルエリアネットワークにアクセスすることとを含む
ことを特徴とする請求項１〜７のいずれか１項に記載の無線ローカルエリアネットワークのアクセス方法。
【請求項９】
前記ＡＰ情報が前記端末デバイスが利用可能な少なくとも１つのＡＰの識別情報を含み、前記識別情報がＡＰのサービスセット識別子ＳＳＩＤを含む
ことを特徴とする請求項８に記載の無線ローカルエリアネットワークのアクセス方法。
【請求項１０】
前記パラメータが、受信する信号強度インジケータＲＳＳＩを含む
ことを特徴とする請求項８に記載の無線ローカルエリアネットワークのアクセス方法。
【請求項１１】
ネットワークデバイスが端末デバイスにより送信されたシステムメッセージ要求を受信することと、
前記ネットワークデバイスが前記端末デバイスにシステムメッセージを送信することとを含み、
前記システムメッセージ要求は、前記ネットワークデバイスが前記端末デバイスに前記システムメッセージを送信するように要求し、前記システムメッセージは、前記端末デバイスが前記無線ローカルエリアネットワークにアクセスするための情報である
ことを特徴とする無線ローカルエリアネットワークのアクセス方法。
【請求項１２】
前記ネットワークデバイスが端末デバイスにより送信されたシステムメッセージ要求を受信することは、
前記ネットワークデバイスが特定のプリアンブルにおいて、前記端末デバイスにより送信されたランダムアクセスメッセージを受信し、前記特定のプリアンブルで前記ネットワークデバイスが前記端末デバイスに前記システムメッセージを送信するように要求すること、
又は、
前記ネットワークデバイスが前記端末デバイスにより送信された無線リソース制御ＲＲＣシグナリングを受信することを含み、前記ＲＲＣシグナリングが前記システムメッセージ要求することを含む
ことを特徴とする請求項１１に記載の無線ローカルエリアネットワークのアクセス方法。
【請求項１３】
前記ネットワークデバイスが前記端末デバイスに前記システムメッセージを送信することは、
前記ネットワークデバイスが前記端末デバイスに他のシステム情報Ｏｔｈｅｒ ＳＩを送信することを含み、前記Ｏｔｈｅｒ ＳＩが前記システムメッセージを含む
ことを特徴とする請求項１１〜１２のいずれか１項に記載の無線ローカルエリアネットワークのアクセス方法。
【請求項１４】
送受信機と、プロセッサとを備える端末デバイスであって、
前記送受信機と前記プロセッサとは、請求項１〜１０のいずれか1項に記載の無線ローカルエリアネットワークのアクセス方法を実行するように構成される
ことを特徴とする端末デバイス。
【請求項１５】
送受信機と、プロセッサとを備えるネットワークデバイスであって、
前記送受信機と前記プロセッサとは、請求項１１〜１３のいずれか1項に記載の無線ローカルエリアネットワークのアクセス方法を実行するように構成される
ことを特徴とするネットワークデバイス。
【手続補正３】
【補正対象書類名】図面
【補正対象項目名】全図
【補正方法】変更
【補正の内容】
【図１】
2021510946.tif 000009
【図２】
2021510946.tif 000010
【図３】
2021510946.tif 000011
【図４】
2021510946.tif 000012
【図５】
2021510946.tif 000013
【図６】
2021510946.tif 000014
【国際調査報告】
2021510946.tif 000015
2021510946.tif 000016
2021510946.tif 000017
2021510946.tif 000018